(57)【要約】スライド方式携帯電話の二つの構成体をスライディング方式で開閉するようにするスライディング装置が開示される。ガイド部材とスライド部材は直線方向に滑走運動が可能に係合される。第１トーションスプリングはその一側腕の端はスライド部材の左側端近くに結合されて、残りの他側腕の端はガイド部材の右側半分領域内に結合される。第２トーションスプリングはその一側腕の端はスライド部材の右側端近くに結合されて、残りの他側腕の端はガイド部材の左側半分領域内に結合される。第１及び第２トーションスプリングが充分にひろがった最初の状態でスライド部材とガイド部材それぞれにお互いに異なる方向の外力が加えられれば、第１及び第２トーションスプリングは旋回運動をしながら鋭角で畳まれた後、弾性力によって再び充分に開かれる。これによって、スライド部材は最下位の支点または最上位の支点に位置移動をするようになる。第１トーションスプリングはそれの両腕端の距離がスライド部材の幅の少なくとも半分を越して、第２トーションスプリングも同じである。それで、第１トーションスプリングと第２トーションスプリングはガイド部材の幅を最大限広く活用して旋回運動をするようになって、スライド部材の最大移動距離を長くすることができる。
2008502175.tif 000002
【特許請求の範囲】
【請求項１】
ガイド部材と、
前記ガイド部材に直線方向の滑走運動が可能に係合されたスライド部材と、
円形に巻線された第１コイル及びその第１コイルの両端で所定長さで延長された両腕を具備して、前記スライド部材と前記ガイド部材の間の空間に配置されて、一側腕の端は前記ガイド部材の左側端近くの第１支点に結合され、残りの他側腕の端は前記スライド部材の右側半分領域内の第２支点に結合される第１トーションスプリングと、 
円形に巻線された第２コイル及びその第２コイルの両端で所定長さで延長された両腕を具備して、前記スライド部材と前記ガイド部材の間の空間に配置されて、一側腕の端は前記ガイド部材の右側端近くの第３支点に結合され、残りの他側腕の端は前記スライド部材の左側半分領域内の第４支点に結合される第２トーションスプリングを具備することを特徴とするスライディング開閉装置。
【請求項２】
前記第１支点と前記第２支点との間の距離は前記第３支点と前記第４支点との間の距離と実質的に同一であることを特徴とする請求項１に記載のスライディング開閉装置。
【請求項３】
前記ガイド部材は第１四角形板材の上面の左右側端に沿って所定の幅と少なくとも前記第１及び第２トーションスプリングが自由に運動することができる空間を提供することができる高さを有する第１及び第２ガイドレールが延長されて、前記第１及び第２ガイドレールの外側面には長さ方向に第１及び第２ガイドレール溝が形成されて、前記第１ガイドレールの前記第１支点と前記第２ガイドレールの前記第３支点に第１結合孔と第２結合孔がそれぞれ形成された構造を有して、
前記スライド部材は第２四角形板材の下面の両側端に沿って第１及び第２レールが前記第１及び第２ガイドレール溝にそれぞれ滑走可能にかみ合うように形成されて、前記第２四角形板材の前記第２及び第４支点には前記第１及び第２トーションスプリングの折り曲げられた端の部分が挿入される第３及び第４結合孔がそれぞれ形成された構造を有することを特徴とする請求項１に記載のスライディング開閉装置。
【請求項４】
前記ガイド部材は第１四角形板材の左右両側面に沿って第１及び第２ガイドバーが延長されて、前記第１四角形板材の両側端に位置した前記第１支点と前記第３支点に第１結合孔と第２結合孔がそれぞれ形成された構造を有し、
前記スライド部材は第２四角形板材の左右両側端に前記第１及び第２ガイドバーを滑走可能に取る結合手が形成され、前記第２四角形板材の前記第２及び第４支点には前記第１及び第２トーションスプリングの折り曲げられた端の部分が挿入されることができる第３及び第４結合孔がそれぞれ形成された構造を有することを特徴とする請求項１に記載のスライディング開閉装置。
【請求項５】
前記スライド部材及び前記ガイド部材の外面にはそれぞれ応用機器の第１及び第２構成体と螺合をするための多数のねじ溝が形成されていることを特徴とする請求項１ないし４のうちいずれか一つに記載のスライディング開閉装置。
【請求項６】
前記スライド部材及び前記ガイド部材は応用機器の第１及び第２構成体の一部分をなして前記応用機器の第１及び第２構成体がスライディング方式で開閉されるようにすることを特徴とする請求項１ないし４のうちいずれか一つに記載のスライディング開閉装置。
【請求項７】
長さ方向の両側縁に沿って第１及び第２案内顎が設けられた四角形板材と、前記第１及び第２案内顎と平行に設置された第１及び第２ガイドバーを具備するガイド部材と、
前記第１及び第２ガイドバーにそれぞれ挟まれる第１及び第２ガイドホールと前記第１及び第２案内顎にかみ合う第１及び第２レールを左右両側に対向するように設けられている左右一対の第１及び第２滑走結合手を具備して、前記ガイド部材と相互直線方向の滑走運動が可能に係合されたスライド部材と、
円形に巻線された第１コイル及びその第１コイルの両端で所定長さで延長された両腕を具備して、前記スライド部材と前記ガイド部材との間の空間に配置されて、一側腕の端は前記ガイド部材の左側端近くの第１支点に結合されて残りの他側腕の端は前記スライド部材の第２支点に結合される第１トーションスプリングと、
円形に巻線された第２コイル及びその第２コイルの両端で所定長さで延長された両腕を具備して、前記スライド部材と前記ガイド部材との間空間に配置されて、一側腕の端は前記ガイド部材の右側端近くの第３支点に結合されて残りの他側腕の端は前記スライド部材の第４支点に結合される第２トーションスプリングと、を含むスライディング開閉装置。
【請求項８】
前記第１及び第２案内顎は、i)前記四角形板材の両側縁に沿って連続された直線形態で突き出される構造または、ii)前記四角形板材の両側縁で上下二つの区間に分割されるが、上部側は側面後方から突き出されて、前記第１及び第２滑走結合手の底面を支持して下部側は側面前方から突き出されて前記第１及び第２レールに内挿される構造であることを特徴とする請求項７に記載のスライディング開閉装置。
【請求項９】
前記第２支点と前記第４支点とは前記スライド部材の右側半分領域と左側半分領域内にそれぞれ位置することを特徴とする請求項７に記載のスライディング開閉装置。
【請求項１０】
前記第１及び第２ガイドバーが挿入される前記第１及び第２ガイドホールの内壁にはガイドバーの円滑な滑走を保障するために円筒状軸受けが設けられ、前記第１及び第２ガイドバーの両端には緩衝ゴムが設けられており、前記スライド部材がスライディングして前記ガイド部材の上面または下面にぶつかる時に前記緩衝ゴムが前記軸受けの端と先にぶつかって前記スライド部材と前記ガイド部材との間の滑走衝撃を緩和することを特徴とする請求項７に記載のスライディング開閉装置。
【請求項１１】
ガイド部材と該ガイド部材上から直線方向に滑走運動をするようにかみ合ったスライド部材を含むスライディング開閉方式の応用機器において、
前記ガイド部材と前記スライド部材のうちで少なくともいずれか一つの内面の所定部位に固定された弾性の接触板をさらに具備して、前記スライド部材は滑走するうちにも前記接触板によって常に前記ガイド部材と電気的に接続された状態を維持することができ、前記ガイド部材と前記スライド部材のうちで少なくともいずれか一つは前記応用機器の基準電位点に電気的に連結されることを特徴とするスライディング開閉装置を採用した応用機器。
【請求項１２】
四角形板材を具備するガイド部材上でスライド部材が直線方向に滑走するスライディング開閉装置において、
ガイド部材の両側縁に沿って平行に設置される第１及び第２ガイドバーと、
前記スライド部材の左右側端にそれぞれ位置して、前記第１及び第２ガイドバーがそれぞれ挟まれて前記スライド部材のスライディング滑走ができるようにする第１及び第２ガイドホールが形成された第１及び第２滑走結合手とを含むスライディング開閉装置。
【請求項１３】
前記第１及び第２ガイドバーは前記四角形板材の両側縁に密着されるか、または所定間隔が離隔されて固定されているし、前記第１及び第２ガイドホールは一側が開放されて前記第１及び第２ガイドバーを一定部分囲んでいることを特徴とする請求項１２に記載のスライディング開閉装置。
【請求項１４】
前記第１及び第２ガイドバーと接した前記四角形板材の両側縁には案内顎が設けられて、前記案内顎と対応される前記第１及び第２ガイドホールの隣接部位には案内レールが設けられて前記案内顎とかみ合ってガイド作用をすることを特徴とする請求項１３に記載のスライディング開閉装置。
【請求項１５】
おおよそ四角形の板材であるガイド部材と、
前記ガイド部材と相互直線方向の滑走運動が可能に係合されたスライド部材と、
前記スライド部材の中間位置にその中心部がリンク軸に回転可能に固定されて前記中心部から左右に所定長さ程度延長された両腕を具備する可変リンクと、
円形で巻線されたコイル部及びそのコイル部の両端で所定長さで延長された両腕を具備して、前記スライド部材と前記ガイド部材との間に位置されて、一側固定腕の固定端は前記ガイド部材と前記スライド部材のうちでいずれか一つの右側端近くに結合されて他側可変腕の固定端は前記可変リンクの左側端部分に旋回可能に結合される第１トーションスプリングと、
円形で巻線されたコイル部及びそのコイル部の両端で所定長さで延長された両腕を具備して、前記スライド部材と前記ガイド部材との間に位置されて、一側固定腕の固定端は前記ガイド部材とスライド部材の残り一つの左側端近くに結合されて他側可変腕の固定端は前記可変リンクの右側端部分に旋回可能に結合される第２トーションスプリングと、を含むスライディング開閉装置。
【請求項１６】
前記ガイド部材と前記スライド部材との間の滑走可能な係合構造は、i)前記ガイド部材の前記四角形板材はそれの左右側に第１及び第２案内顎を具備して、前記スライド部材は前記第１及び第２案内顎にかみ合って滑走する第１及び第２レールを左右両側に具備する構造、及び/または、ii)前記ガイド部材は前記四角形板材の左右両側に平行に設置される第１及び第２ガイドバーを具備して、前記スライド部材は前記第１及び第２ガイドバーにそれぞれ挟まれる第１及び第２ガイドホールを具備することを特徴とする請求項１５に記載のスライディング開閉装置。
【請求項１７】
前記第１及び第２案内顎は前記四角形板材の両側縁に沿って
2008502175.tif 000007
形の断面を有する連続された直線形態で突き出されて、前記第１及び第２レールは中間部分が消失して前後両端の一定部分のみが突き出て前記第１及び第２案内顎と滑走可能にかみ合うことを特徴とする請求項１６に記載のスライディング開閉装置。
【請求項１８】
前記可変リンクは前記リンク軸を頂点に対向するように形成された第１傾斜面と第２傾斜面を有する旋回案内突起をさらに具備して、前記第１傾斜面は前記第１トーションスプリングの可変腕に接触されて回転して、前記第２傾斜面は前記第２トーションスプリングの可変腕に接触されて回転することを特徴とする請求項１７に記載のスライディング開閉装置。
【請求項１９】
前記可変リンクに固定される前記第１及び第２トーションスプリングの可変腕は外側に折り曲げられて前記第１及び第２トーションスプリングの腕がなす間角をさらに広く拡大することを特徴とする請求項１７に記載のスライディング開閉装置。
【請求項２０】
おおよそ四角形の板状体であるガイド部材と、
前記ガイド部材と相互直線方向の滑走運動が可能に係合されたスライド部材と、
長さが弾性的に収縮または伸長される構造であり、前記スライド部材と前記ガイド部材との間に位置するが、両端部は前記ガイド部材と前記スライド部材の左側と右側、または右側と左側の端近くにそれぞれ旋回可能に結合されるシリンダー型スプリング手段と、を含むスライディング開閉装置。
【請求項２１】
前記シリンダー型スプリング手段は前記ガイド部材と前記スライド部材のうちでいずれか一つと結合されるシリンダーと、該シリンダー内に内蔵したコイルスプリング、そして前記コイルスプリングによって弾性的に支持されて前記ガイド部材と前記スライド部材のうちで残り一つに結合されるロッドを具備することを特徴とする請求項２０に記載のスライディング開閉装置。
【請求項２２】
前記シリンダー型スプリング手段は前記ガイド部材と前記スライド部材のうちでいずれか一つと結合されるシリンダーと、前記シリンダー内に内蔵したコイルスプリング、該コイルスプリングによって弾性的に支持されるロッド、そして中心部が前記ガイド部材と前記スライド部材のうちで残り一つとリンク軸に回転可能に結合されて前記リンク軸から所定距離が離れた位置で前記ロッドと移動しながら旋回可能に結合される可変リンクを具備することを特徴とする請求項２０に記載のスライディング開閉装置。
【請求項２３】
おおよそ四角形の板状体であるガイド部材と、
前記ガイド部材と相互直線方向の滑走運動が可能に係合されたスライド部材と、
長さが弾性的に収縮または伸長される構造であり、前記スライド部材と前記ガイド部材との間に位置するが、両端部は前記ガイド部材の右側端近くの第１位置と前記スライド部材の左側半分領域内の第２位置にそれぞれ旋回可能に結合される第１シリンダー型スプリング手段と、
長さが弾性的に収縮または伸長される構造であり、前記スライド部材と前記ガイド部材との間に位置するが、両端部は前記ガイド部材の左側端近くの第３位置と前記スライド部材の右側半分領域内の第４位置にそれぞれ旋回可能に結合される第２シリンダー型スプリング手段と、を含むスライディング開閉装置。
【請求項２４】
前記第１及び第２シリンダー型スプリング手段は共に前記ガイド部材と前記スライド部材のうちでいずれか一つと結合されるシリンダーと、該シリンダー内に内蔵したコイルスプリング、そして前記コイルスプリングによって弾性的に支持されて前記ガイド部材と前記スライド部材のうちで残り一つに結合されるロッドを具備することを特徴とする請求項２３に記載のスライディング開閉装置。
【請求項２５】
前記第１及び第２シリンダー型スプリング手段は共に前記ガイド部材と前記スライド部材のうちでいずれか一つと結合されるシリンダーと、前記シリンダー内に内蔵したコイルスプリング、該コイルスプリングによって弾性的に支持されるロッド、そして中心部が前記ガイド部材と前記スライド部材のうちで残り一つとリンク軸に回転可能に結合されて前記リンク軸から所定距離が離れた位置で前記ロッドと移動しながら旋回可能に結合される可変リンクを具備することを特徴とする請求項２３に記載のスライディング開閉装置。
【請求項２６】
前面から突き出て、スライディング方向にガイドホールが形成された少なくとも一つの結合手を具備する本体と、
前記本体の結合手が収容されて滑走することができる滑走空間が背面に凹入されて形成されて、前記滑走空間には前記結合手のガイドホールに挟まれて前記本体の滑走を案内する少なくとも一つのガイドバーを具備するカバーと、を含むスライディング開閉装置を採用した応用機器。
【請求項２７】
前記結合手と前記ガイドバーはそれぞれ前記本体及び前記カバーの対応部位に左右一対で構成されることを特徴とする請求項２６に記載のスライディング開閉装置を採用した応用機器。
【請求項２８】
前記一対の結合手は板状のスライド部材の左右両方の角付近に配置されて一体をなすように形成されて、前記スライド部材は前記本体の前面に装着固定されることを特徴とする請求項２７に記載のスライディング開閉装置を採用した応用機器。
【請求項２９】
前記一対の結合手は前記本体の前面に所定間隔が離隔して左右一対で一体成形されることを特徴とする請求項２７に記載のスライディング開閉装置を採用した応用機器。
【請求項３０】
前記カバーの背面には滑走空間で滑走方向に沿って案内レールが突き出されて、前記案内レールと対面する前記本体の結合手の一側面には前記案内レールにかみ合って挟まれる案内顎が形成されていることを特徴とする請求項２６または２７に記載のスライディング開閉装置を採用した応用機器。
【請求項３１】
前記案内レールは前記滑走空間の両側面に沿って一定間隔で離隔して多数個が突き出るが、それら間の間隔は前記結合手が前方に進入されることができる距離であることを特徴とする請求項３０に記載のスライディング開閉装置を採用した応用機器。
【請求項３２】
前記滑走空間には少なくとも一つのトーションスプリングが位置して、その一端は前記本体に、そして他端は前記カバーに旋回可能に固定されることを特徴とする請求項２７に記載のスライディング開閉装置を採用した応用機器。
【請求項３３】
前記滑走空間を規定する前記カバー背面の上下内壁に前記滑走空間と連通する固定溝らを形成して、上下側の前記固定溝に前記ガイドバーの両端を挟んで固定することを特徴とする請求項２７に記載のスライディング開閉装置を採用した応用機器。
【請求項３４】
前記固定溝と前記ガイドバーらの両端にはゴムパッキングが介在されることを特徴とする請求項３３に記載のスライディング開閉装置を採用した応用機器。
【請求項３５】
前記ガイドバーを把持する上下の固定溝のうちで上部側または下部側は別途の仕上げ片に形成されて、前記仕上げ片は前記滑走空間の上部または下部に装着されることを特徴とする請求項３４に記載のスライディング開閉装置を採用した応用機器。
【請求項３６】
ボタンが設けられた前面の左右側のうちで少なくとも一側の外郭に沿ってスライディング方向に少なくとも一つの直線型の滑走空間が設けられて、前記滑走空間にはスライディング方向に沿ってガイドバーが装着されている本体と、
前記本体の滑走空間内に収容されて、前記ガイドバーに挟まれてスライディング案内されるガイドホールが形成された少なくとも一つの結合手を背面に具備するカバーを含むスライディング開閉装置を採用した応用機器。
【請求項３７】
前記滑走空間には滑走方向に沿って案内レールが突き出されていて、前記結合手には前記案内レールにかみ合う案内顎が形成されていることを特徴とする請求項３６に記載のスライディング開閉装置を採用した応用機器。
【請求項３８】
前記滑走空間は前記本体の左右一対で∪字形態で凹入されて形成されて、前記結合手は前記滑走空間の対応位置に一対が形成されてその側面は前記カバーの側面の内側に位置されることを特徴とする請求項３６または３７に記載のスライディング開閉装置を採用した応用機器。
【請求項３９】
前記滑走空間は前記本体に左右一対でＬ字形で凹入されて左右側面に開口されるように形成されて、前記結合手は前記滑走空間の対応位置に一対が形成されてその側面は前記カバーの側面と一直線をなすことを特徴とする請求項３６または３７に記載のスライディング開閉装置を採用した応用機器。
【請求項４０】
本体及び本体からスライディング滑走しながら開閉されるカバーを具備するスライディング開閉方式の応用機器において、
前記本体及びカバーのうちでいずれか一つの左右側面のうちで少なくとも一側面に沿ってスライディング方向に少なくとも一つの直線型の滑走空間が設けられて、前記滑走空間にはスライディング方向に沿ってガイドバーが装着されていて、
前記本体及びカバーのうちで残り一つが前記本体及びカバーのうちでいずれか一つの側面を一定部分を囲みながら前記滑走空間内に収容されて、前記ガイドバーに挟まれてスライディング案内されるガイドホールが形成された少なくとも一つの結合手を背面側に具備することを特徴とするスライディング開閉装置を採用した応用機器。
【請求項４１】
前記滑走空間は左右一対にそれぞれ
2008502175.tif 000008
の形態で凹入されて形成されて、前記結合手は前記一対の滑走空間を囲みながら前記滑走空間の対応位置に一対が形成されることを特徴とする請求項４０に記載のスライディング開閉装置を採用した応用機器。
【請求項４２】
前記滑走空間には滑走方向に沿って案内レールが突き出されていて、前記結合手には前記案内レールにかみ合う案内顎が形成されていることを特徴とする請求項４１に記載のスライディング開閉装置を採用した応用機器。
【発明の詳細な説明】
【技術分野】
【０００１】
本発明は無線通信端末機などのスライディング開閉方式を採用した各種機器に適用されるスライディング開閉装置及びその応用機器に関し、より詳細にはトーションスプリングの弾性力を利用して作動の便宜性を提供するスライディング開閉装置及びそれを採用した応用機器に関する。
【背景技術】
【０００２】
携帯型端末機、例えば携帯電話の形態は継続的に変化している。フリップタイプ、バータイプ、フォルダタイプの携帯電話が知られたし、最近にはスライドタイプの携帯電話が製品化されて、新しく注目されている。一般的に、スライドタイプの携帯型端末機は本体と該本体にスライド可能に設置されたカバーで構成されている。そして、本体とスライディングカバーが相互スライディング運動を通じて上下で重ねられるか、またはその重ねられることが解除される運動をする。
【０００３】
このようなスライディング運動ができるようになっているスライディングメカニズムもいろいろが知られている。滑走空間とガイドレールを利用したスライディングメカニズム、ラックとピニオンを利用したスライディングメカニズム、そして下敷板に支持されたスライド構造とこのスライド構造をガイドするためのガイドホールが形成されたガイド板、そして板スプリングなどを利用した特殊な構造のスライディングメカニズムなどが知られている。例えば、アメリカ特許番号６，０７３，０２７号はラッチとラッチキャッチ(latch catch)及びアクチュエータを具備したカバーをテンションスプリングを利用してスライディング可能にハウジングに連結してカバーを開閉するスライディングメカニズムを提案している。
【０００４】
ところが、これらの従来技術のスライド方式は、何れも共に別途の移動力提供手段を有して居らず、使用者が押し上げるか、または押し下げる程度のスライドカバーの移動しかできない。この為、一回の移動距離が短いという短所を有する。また、単一のスライディング構造に依存して携帯電話の本体とカバーが結合されているので、外力によってスライディング構造が損傷を受けやすくて、それによって本体からカバーが離脱し易く、耐久性が脆弱であった。
【０００５】
また、上のような従来のスライディング装置はガイディングベイス部材とこれに滑走可能に結合するスライド部材で構成されて、通常的にガイディングベイス部材は携帯電話のカバーの背面に結合されて、スライド部材は携帯電話の本体の前面上部に結合された。すなわち、ガイディングベイス部材及びスライド部材を携帯電話の本体及びカバーと個別的に製作してボルトで締結させることによって携帯電話の本体及びカバーにガイディングベイス部材及びスライド部材が装着される部分と結合のための複数のボルト締結孔が設けられなければならないので、その結合構造が複雑になって、それによって金型が複雑になって金型製作を難しくする問題点があった。その結果、スライディング装置の製作コストが多く必要となるだけでなく、組み立て時間がたくさんかかる短所があった。
【０００６】
このような問題点は従来のスライディング装置の本質的な問題と思われる。これに、構造がより単純化されて組み立て性が改善された新しいスライディングメカニズムが携帯電話などの応用機器に提供される必要性が切実に要求されている。
[発明の詳細な説明]
[技術的課題]
【０００７】
本発明の第１目的は上述した諸欠点を解消するために案出したものであり、スライド部材をガイド部材に沿ってスライド移動させるが、使用者が加えた力である程度の距離までに移動させればトーションスプリングの弾性力によってさらに移動されるようにして、特にスライド部材の幅に比べて移動距離の比が非常に大きくて薄型短小の携帯電話製作に非常に好適なスライディング開閉装置を提供することにある。
【０００８】
本発明の第２目的はスライド部材をガイド部材に沿ってスライド移動させるが、使用者が加えた力である程度の距離までに移動させればトーションスプリングの弾性力によって目標位置までずっと移動されるようにして、特にガイドバー(guide bar)とガイドホール(guide hole)の結合案内構造を採択するが、案内顎とそれとかみ合うレール構造を付加させて滑走時の離脱及び変形を防止してより堅固で安定的な作動を保障することができるスライディング開閉装置を提供することにある。
【０００９】
本発明の第３目的は弾性の接触板を介在させて滑走時にも常にガイド部材とスライド部材が電気的に接続されて接地されることで電磁気波による電波障害を防止することができるスライディング開閉装置を提供することにある。
【００１０】
本発明の第４目的は一対のトーションスプリングの一端を旋回されるリンクの両端にそれぞれ回転されるように固定することによって、二つのトーションスプリングの弾性力の均衡区間で誘発される死点を最小化してスライディング時の止め現象をとり除いて作動距離を増大することができるようにするスライディング開閉装置を提供することにある。
【００１１】
本発明の第５目的はガイドレール構造とこのガイドレール構造とスライディング可能に結合されるスライド構造を本体及びこの本体からスライディング開閉されるカバーの対応部位にいずれか一つずつ一体に成形して結合させることで構造を単純化させて組み立て性を改善することができるスライディング開閉装置を採用した応用機器を提供することにある。
【技術的解決方法】
【００１２】
上のような目的を達成するための本発明によると、ガイド部材と、前記ガイド部材に直線方向の滑走運動が可能に係合されたスライド部材と、円形で巻線された第１コイル及びその第１コイルの両端で所定長さで延長された両腕を具備して、前記スライド部材と前記ガイド部材との間の空間に配置されて、一側腕の端は前記ガイド部材の左側端近くの第１支点に結合されて残りの他側腕の端は前記スライド部材の右側半分領域内の第２支点に結合される第１トーションスプリングと、及び円形で巻線された第２コイル及びその第２コイルの両端で所定長さで延長された両腕を具備して、前記スライド部材と前記ガイド部材の間の空間に配置されて、一側腕の端は前記ガイド部材の右側端近くの第３支点に結合されて残りの他側腕の端は前記スライド部材の左側半分領域内の第４支点に結合される第２トーションスプリングを具備することを特徴とするスライディング開閉装置が提供される。
【００１３】
前記スライディング開閉装置において、前記第１支点と前記第２支点との間の距離は前記第３支点と前記第４支点との間の距離と実質的に同一なものが望ましい。
【００１４】
前記スライディング開閉装置の望ましい一実施例によると、前記ガイド部材は第１四角形板材の上面の左右側端に沿って所定の幅と少なくとも前記第１及び第２トーションスプリングが自由に運動することができる空間を提供することができる高さを有する第１及び第２ガイドレールが延長されて、前記第１及び第２ガイドレールの外側面には長さ方向に第１及び第２ガイドレール溝が長く形成されて、前記第１ガイドレールの前記第１支点と前記第２ガイドレールの前記第３支点に第１結合孔と第２結合孔がそれぞれ形成された構造を有して、前記スライド部材は第２四角形板材の下面の両側端に沿って第１及び第２レールが前記第１及び第２ガイドレール溝にそれぞれ滑走可能にかみ合うように形成されて、前記第２四角形板材の前記第２及び第４支点には前記第１及び第２トーションスプリングの折り曲げられた端の部分が挿入されることができる第３及び第４結合孔がそれぞれ形成された構造を有することを特徴とする。
【００１５】
前記スライディング開閉装置の望ましい他の実施例によると、前記ガイド部材は第１四角形板材の左右両側面に沿って第１及び第２ガイドバーが延長されて、前記第１四角形板材の両側端に位置した前記第１支点と前記第３支点に第１結合孔と第２結合孔がそれぞれ形成された構造を有して、前記スライド部材は第２四角形板材の左右両側端に前記第１及び第２ガイドバーを滑走可能に取る結合手が形成されて、前記第２四角形板材の前記第２及び第４支点には前記第１及び第２トーションスプリングの折り曲げられた端の部分が挿入されることができる第３及び第４結合孔がそれぞれ形成された構造を有することを特徴とする。
【００１６】
前記スライディング開閉装置において、前記スライド部材及び前記ガイド部材の外面にはそれぞれ応用機器の第１及び第２構成体と螺合をするための多数のねじ溝が形成されていることを特徴とする。一方で、前記スライド部材及び前記ガイド部材は応用機器の第１及び第２構成体の一部分をなして前記応用機器の第１及び第２構成体がスライディング方式で開閉されるようにすることを特徴とする。
【００１７】
このような本発明のスライディング開閉装置によると、外力が加えられない状態では前記スライド部材は、前記ガイド部材に対する相対的な位置が最上位支点または最下位支点のうちでいずれか一つの位置状態であって、前記第１及び第２トーションスプリングは所定の鈍角で充分にひろがった最初状態を取る。その状態で、前記スライド部材と前記ガイド部材それぞれに反対方向の外力が加えられれば第１及び第２トーションスプリングの前記スライド部材に結合された両腕がそれぞれ旋回運動をしながら第１及び第２トーションスプリングは鋭角で畳まれる。外力が前記第１及び第２トーションスプリングの拗じれ弾性力を克服することができる大きさでずっと加えられれば、第１及び第２トーションスプリングは前記最初状態を基準で旋回運動角が少なくとも９０度以上１８０度以下になりながら弾性力によって再び鈍角で充分に開かれるようになる。これによって、前記スライド部材は最下位支点または最上位支点で位置移動をするようになる。すなわち、第１及び第２トーションスプリングの弾性力を勝つことができる外力が加えられれば、その外力の方向によって前記スライド部材は最上位支点から最下位支点に、またはその反対に位置移動をするようになる。
【００１８】
特に、第１トーションスプリングと第２トーションスプリングがスライド部材と結合する各支点の位置がガイド部材の端近くに結合された一側腕の端から見る時それぞれガイド部材の幅の中央線を越える所である。それで、第１トーションスプリングと第２トーションスプリングはガイド部材の幅を最大限広く活用して旋回運動をするようになる。その結果、スライド部材の移動距離すなわち、最上位支点と最下位支点との間の距離がスライド部材の幅に比べて相対的に長い距離を移動することができる。このような点はスライディングタイプ携帯電話のスライディング駆動メカニズムで採用されて携帯電話を薄型短小で作ることができる利点がある。
【００１９】
前記目的を達成するための本発明によると、長さ方向の両側縁に沿って第１及び第２案内顎が設けられた四角形板材と、前記第１及び第２案内顎と平行に設置された第１及び第２ガイドバーを具備するガイド部材と、前記第１及び第２ガイドバーにそれぞれ挟まれる第１及び第２ガイドホールと前記第１及び第２案内顎にかみ合う第１及び第２レールを左右両側に対向するように設けられている左右一対の第１及び第２滑走結合手を具備して、前記ガイド部材と相互直線方向の滑走運動が可能に係合されたスライド部材と、円形で巻線された第１コイル及びその第１コイルの両端で所定長さで延長された両腕を具備して、前記スライド部材と前記ガイド部材の間空間に配置されて、一側腕の端は前記ガイド部材の左側端近くの第１支点に結合されて残りの他側腕の端は前記スライド部材の第２支点に結合される第１トーションスプリングと、及び円形で巻線された第２コイル及びその第２コイルの両端で所定長さで延長された両腕を具備して、前記スライド部材と前記ガイド部材との間空間に配置されて、一側腕の端は前記ガイド部材の右側端近くの第３支点に結合されて残りの他側腕の端は前記スライド部材の第４支点に結合される第２トーションスプリングを含むスライディング開閉装置が提供される。
【００２０】
前記スライディング開閉装置において、前記第１及び第２案内顎は、i)前記四角形板材の両側縁に沿って連続された直線形態で突き出される構造または、ii)前記四角形板材の両側縁で上下二つの区間に分割されるが、上部側は側面後方から突き出されて、前記第１及び第２滑走結合手の底面を支持して下部側は側面前方から突き出されて前記第１及び第２レールに内挿される構造であることを特徴とする。
【００２１】
前記スライディング開閉装置において、前記第１及び第２ガイドバーが挿入される前記第１及び第２ガイドホールの内壁にはガイドバーの円滑な滑走を保障するために円筒状軸受けが設けられ、前記第１及び第２ガイドバーの両端には緩衝ゴムが設けられて、前記スライド部材がスライディングして前記ガイド部材の上面または下面にぶつかる時に前記緩衝ゴムが前記軸受けの端と先ずぶつかりながら前記スライド部材と前記ガイド部材の間の滑走衝撃を緩和することを特徴とする。
【００２２】
前記目的を達成するための本発明によると、ガイド部材とこのガイド部材上で直線方向に滑走運動をするようにかみ合ったスライド部材を含むスライディング開閉方式の応用機器において、前記ガイド部材と前記スライド部材のうちで少なくともいずれか一つの内面の所定部位に固定された弾性の接触板をさらに具備して、前記スライド部材は滑走するうちにも前記接触板によって常に前記ガイド部材と電気的に接続された状態を維持することができるし、前記ガイド部材と前記スライド部材のうちで少なくともいずれか一つは前記応用機器の基準電位点に電気的に連結されることを特徴とするスライディング開閉装置を採用した応用機器が提供される。
【００２３】
前記目的を達成するための本発明によると、四角形板材を具備するガイド部材上でスライド部材が直線方向に滑走するスライディング開閉装置において、ガイド部材の両側縁に沿って平行に設置される第１及び第２ガイドバーと、及び前記スライド部材の左右側端にそれぞれ位置して、前記第１及び第２ガイドバーがそれぞれ挟まれて前記スライド部材のスライディング滑走ができるようにする第１及び第２ガイドホールが形成された第１及び第２滑走結合手を含むスライディング開閉装置が提供される。
【００２４】
前記スライディング開閉装置によると、前記第１及び第２ガイドバーは前記四角形板材の両側縁に密着されるか、または所定間隔が離隔されて固定されているし、前記第１及び第２ガイドホールは一側が開放されて前記第１及び第２ガイドバーを一定部分囲んでいることを特徴とする。
【００２５】
前記目的を達成するための本発明によると、おおよそ四角形の板材であるガイド部材と、該ガイド部材と相互直線方向の滑走運動が可能に係合されたスライド部材と、該スライド部材の中間位置にその中心部がリンク軸に回転可能に固定されて前記中心部から左右に所定長さ程度延長された両腕を具備する可変リンクと、円形で巻線されたコイル部及びそのコイル部の両端で所定長さで延長された両腕を具備して、前記スライド部材と前記ガイド部材との間に位置されて、一側固定腕の固定端は前記ガイド部材と前記スライド部材のうちでいずれか一つの右側端近くに結合されて他側可変腕の固定端は前記可変リンクの左側端部分に旋回可能に結合される第１トーションスプリングと、及び円形で巻線されたコイル部及びそのコイル部の両端で所定長さで延長された両腕を具備して、前記スライド部材と前記ガイド部材との間に位置されて、一側固定腕の固定端は前記ガイド部材とスライド部材の残り一つの左側端近くに結合されて他側可変腕の固定端は前記可変リンクの右側端部分に旋回可能に結合される第２トーションスプリングと、を含むスライディング開閉装置が提供される。
【００２６】
前記スライディング開閉装置において、前記ガイド部材と前記スライド部材との間の滑走可能な係合構造は、i)前記ガイド部材の前記四角形板材はそれの左右側に第１及び第２案内顎を具備して、前記スライド部材は前記第１及び第２案内顎にかみ合って滑走する第１及び第２レールを左右両側に具備する構造、及び/または、ii)前記ガイド部材は前記四角形板材の左右両側に平行に設置される第１及び第２ガイドバーを具備して、前記スライド部材は前記第１及び第２ガイドバーにそれぞれ挟まれる第１及び第２ガイドホールを具備することを特徴とする。
【００２７】
前記目的を達成するための本発明によると、おおよそ四角形の板状体であるガイド部材と、該ガイド部材と相互直線方向の滑走運動が可能に係合されたスライド部材と、及び長さが弾性的に収縮または伸長される構造であり、前記スライド部材と前記ガイド部材との間に位置するが、両端部は前記ガイド部材と前記スライド部材の左側と右側または右側と左側の端近くにそれぞれ旋回可能に結合されるシリンダー型スプリング手段と、を含むスライディング開閉装置が提供される。
【００２８】
前記スライディング開閉装置において、前記シリンダー型スプリング手段は前記ガイド部材と前記スライド部材のうちでいずれか一つと結合されるシリンダーと、該シリンダー内に内蔵したコイルスプリング、そして前記コイルスプリングによって弾性的に支持されて前記ガイド部材と前記スライド部材のうちで残り一つに結合されるロッドを具備することを特徴とする。一方で、前記シリンダー型スプリング手段は前記ガイド部材と前記スライド部材のうちでいずれか一つと結合されるシリンダーと、該シリンダー内に内蔵したコイルスプリング、該コイルスプリングによって弾性的に支持されるロッド、そして中心部が前記ガイド部材と前記スライド部材のうちで残り一つとリンク軸で回転可能に結合されて前記リンク軸から所定距離が離れた位置で前記ロッドと移動しながら旋回可能に結合される可変リンクと、を具備することを特徴とする。
【００２９】
前記目的を達成するための本発明によると、おおよそ四角形の板状体であるガイド部材と、該ガイド部材と相互直線方向の滑走運動が可能に係合されたスライド部材と、長さが弾性的に収縮または伸長される構造であり、前記スライド部材と前記ガイド部材との間に位置するが、両端部は前記ガイド部材の右側端近くの第１位置と前記スライド部材の左側半分領域内の第２位置にそれぞれ旋回可能に結合される第１シリンダー型スプリング手段と、及び長さが弾性的に収縮または伸長される構造であり、前記スライド部材と前記ガイド部材との間に位置するが、両端部は前記ガイド部材の左側端近くの第３位置と前記スライド部材の右側半分領域内の第４位置にそれぞれ旋回可能に結合される第２シリンダー型スプリング手段と、を含むスライディング開閉装置が提供される。
【００３０】
前記スライディング開閉装置において、前記第１及び第２シリンダー型スプリング手段は共に前記ガイド部材と前記スライド部材のうちでいずれか一つと結合されるシリンダーと、該シリンダー内に内蔵したコイルスプリング、そして該コイルスプリングによって弾性的に支持されて前記ガイド部材と前記スライド部材のうちで残り一つに結合されるロッドを具備することを特徴とする。一方で、前記第１及び第２シリンダー型スプリング手段は共に前記ガイド部材と前記スライド部材のうちでいずれか一つと結合されるシリンダーと、前記シリンダー内に内蔵したコイルスプリング、該コイルスプリングによって弾性的に支持されるロッド、そして中心部が前記ガイド部材と前記スライド部材のうちで残り一つとリンク軸に回転可能に結合されて前記リンク軸から所定距離が離れた位置で前記ロッドと移動しながら旋回可能に結合される可変リンクを具備することを特徴とする。
【００３１】
前記目的を達成するための本発明によると、前面から突き出て、スライディング方向にガイドホールが形成された少なくとも一つの結合手を具備する本体と、及び前記本体の結合手が収容されて滑走することができる滑走空間が背面に凹入されて形成され、前記滑走空間には前記結合手のガイドホールに挟まれて前記本体の滑走を案内する少なくとも一つのガイドバーを具備するカバーを含むスライディング開閉装置を採用した応用機器が提供される。
【００３２】
前記応用機器において、前記カバーの背面には滑走空間で滑走方向に沿って案内レールが突き出されて、前記案内レールと対面する前記本体の結合手の一側面には前記案内レールにかみ合って挟まれる案内顎が形成されていることを特徴とする。
【００３３】
前記応用機器において、前記滑走空間には少なくとも一つのトーションスプリングが位置して、その一端は応前記本体にそして他端は前記カバーに旋回可能に固定されることを特徴とする。
【００３４】
前記目的を達成するための本発明によると、ボタンが設けられた前面の左右側のうちで少なくとも一側の外郭に沿ってスライディング方向に少なくとも一つの直線型滑走空間が設けられて、前記滑走空間にはスライディング方向に沿ってガイドバーが装着されている本体と、及び前記本体の滑走空間内に収容されて、前記ガイドバーに挟まれてスライディング案内されるガイドホールが形成された少なくとも一つの結合手を背面に具備するカバーと、を含むスライディング開閉装置を採用した応用機器が提供される。
【００３５】
前記応用機器において、前記滑走空間は前記本体の左右一対に∪字形態で凹入されて形成され、前記結合手は前記滑走空間の対応位置に一対が形成されてその側面は前記カバー側面の内側に位置されることを特徴とする。一方で、前記滑走空間は前記本体に左右一対で└の形態で凹入されて左右側面に開口されるように形成されて、前記結合手は前記滑走空間の対応位置に一対が形成されてその側面は前記カバー側面と一直線をなすことを特徴とする。
【００３６】
前記目的を達成するための本発明によると、本体及び本体からスライディング滑走しながら開閉されるカバーを具備するスライディング開閉方式の応用機器において、前記本体及びカバーのうちでいずれか一つの左右側面のうちで少なくとも一側面に沿ってスライディング方向に少なくとも一つの直線型滑走空間が設けられて、前記滑走空間にはスライディング方向に沿ってガイドバーが装着されていて、前記本体及びカバーのうちで残り一つが前記本体及びカバーのうちでいずれか一つの側面を一定部分を囲みながら前記滑走空間内に収容されて、前記ガイドバーに挟まれてスライディング案内されるガイドホールが形成された少なくとも一つの結合手を背面側に具備することを特徴とするスライディング開閉装置を採用した応用機器が提供される。
【００３７】
前記応用機器において、前記滑走空間は左右一対にそれぞれ
2008502175.tif 000003
の形態で凹入されて形成され、前記結合手は前記一対の滑走空間らを囲みながら前記滑走空間の対応位置に一対が形成されることを特徴とする。
【有利な効果】
【００３８】
以上のような本発明によると、携帯電話の幅(W)を相対的に小さくしても所望の最大スライディング移動距離(L)を得ることができるので、薄型短小を志向する最近の携帯電話の設計条件を立派に満足させることができる。
【００３９】
また、携帯電話の上部胴体を最下位の状態で最上位の状態に移動させるか、またはその反対に移動させようとする時、使用者が上部胴体を最上位の状態(または最下位の状態)の位置最後まで押し上げ(押し下げ)ないで、おおよそ最大移動距離(L)の半分程度だけ押してもその残りの距離はトーションスプリングの弾性力によってスライド部材またはガイド部材が自動的に反対側の位置状態に移動されるので、使用上の便利さがある。
【００４０】
特に、滑走時には棒型の第１及び第２ガイドバーと第１及び第２ガイドホールが主導的にお互いに作用しながら運動して、第１及び第２案内顎と第１及び第２レールが補助的に水平運動で他の方向での歪みや外れを抑制することで、ガイド部材でスライド部材が柔らかい滑走動作が可能で安定的な走行が保障される。
【００４１】
進んで、ガイド部材のガイドバーとスライド部材のガイドホールにはそれぞれ軸受け及び緩衝ゴムが装着されて滑走接触時の衝撃を緩和して騷音を低減する。
また、ガイド部材とスライド部材に弾性接触板を介在させて滑走時にも常に電気的に接触されて接地されるようにすることで電磁波による通信障害をとり除くことができる。
【００４２】
また、本発明のスライディング開閉装置は一対のトーションスプリングらの可変腕の端部をスライド部材またはガイド部材で旋回されるリンクの両端にそれぞれ回転されるように固定することによって二つのトーションスプリングらの弾性力の均衡区間で誘発される死点を最小化してスライディング時に止め現象をとり除いて作動距離を増大させた效果がある。進んで、トーションスプリングらの可変腕を外側方向に一定角度折り曲げさせることで、トーションスプリングらの旋回時に必要な作動空間を最小化して小型化を期してスプリングの疲労度を減らした利点がある。
【００４３】
また、本発明はトーションスプリングの固定腕の端部を先ず折り曲げさせて係止端を作った後それが挟まれるガイド部材またはスライド部材に固定腕の回転半径方向に長孔を形成して、長孔に挿入させて固定させることで組み立てが簡便で長孔と固定腕との遊隔が必要なくて固定腕の旋回時に搖れを防止することによって旋回摩擦を最小化してそれによる騷音を低減するだけでなく疲労度を減らすことができる。
【００４４】
また、ガイド部材の案内顎とかみ合って滑走するスライド部材のレールの前方部と後方部の一定部分だけ突き出させてかみ合うようにして中間部分を消失させることで、長い直四角形板形態であるガイド部材に少しの歪みやしなうことが発生してもスライド部材の滑走が可能になるように案内結合構造の柔軟性を増進した效果もある。
【発明の実施のための最善の形態】
【００４５】
以下、添付図面を参照して本発明の好適実施例を詳細に説明する。
本発明の第１実施例によるスライディング開閉装置１００が図１に示されている。本スライディング開閉装置１００はスライド部材１１０、第１トーションスプリング(torsion spring)１２０、第２トーションスプリング１３０、そしてガイド部材１４０を含む。
【００４６】
ガイド部材１４０は四角形板材１４２の互いに対向する平行な両側端に沿って所定の幅と高さを有する第１及び第２ガイドレール１４４a、１４４bが長く延長される。第１ガイドレール１４４aと第２ガイドレール１４４bの外側面には長さ方向に第１及び第２ガイドレール溝１４６a、１４６bがそれぞれ長く形成されている。そして、第１ガイドレール１４４aのおおよそ中間の支点付近にはV字溝１４９aが形成されて、その溝１４９aの頂点には結合孔１４８aが形成されている。同じく、第２ガイドレール１４４bにもV字溝１４９bと結合孔１４８bが形成されている。但し、二つの結合孔１４８a、１４８bの位置は所定長さだけ偏位している。結合孔１４８a、１４８bの前にV字溝１４９a、１４９bを形成しておいたことは、第１及び第２トーションスプリング１２０、１３０の旋回運動を妨害しないようにするための配慮である。ガイド部材１４０の背面には携帯電話の上部胴体(図示せず；カバー)と固定させるための結合孔、例えばねじ山が形成された多数個の結合孔(図示せず、図７の２４０に形成された結合孔２４５参照)が形成されている。
【００４７】
スライド部材１１０はガイド部材１４０に対し、長さ方向に滑走することができるように係合される。このためのスライド部材１１０の構造において、四角形板材１１２の対向する平行な両側端に沿って突出型の第１及び第２レール１１４a、１１４bが形成されている。この第１レール１１４aと第２レール１１４bはガイド部材１４０の第１ガイドレール溝１４６aと第２ガイドレール溝１４６bにそれぞれ滑走可能にかみ合う。そして、スライド部材１１０の四角形板材１１２の中央部分の二つの支点には二つの結合孔１１８a、１１８bが形成されている。二つの結合孔１１８a、１１８bはスライド部材の幅を半分で分ける中央線(ＣＬ)で所定間隔が離隔されて配置される。スライド部材１１０の背面にも携帯電話の下部胴体(図示せず；本体)を固定させるための多数の結合孔１１６a〜１１６dが形成されている。
【００４８】
第１トーションスプリング１２０はほぼ円形に巻線された第１コイル１２２とこの第１コイル１２２の両端で所定長さで延長された両腕１２４a、１２４bで構成される。そして、両腕１２４a、１２４bの端はおおよそ直角で折り曲げられる。第１トーションスプリング１２０はお互いに係合されたスライド部材１１０とガイド部材１４０が形成する間空間に配置される。そして、第１トーションスプリング１２０の一側腕１２４aの端はガイド部材１４０の結合孔１４８aに旋回可能に挿入されて、残りの他側腕１２４bの端はスライド部材１１０の結合孔１１８bに旋回可能に挿入される。
【００４９】
第２トーションスプリング１３０も形状は第１トーションスプリング１２０とほとんど同一に、第２コイル１３２をなかに置いて所定長さで延長された両腕１３４a、１３４bで構成されて、両腕１３４a、１３４bの端も折り曲げられている。第２トーションスプリング１３０の一側腕１３４aの端はガイド部材１４０の結合孔１４８bに旋回可能に挿入されて、残りの他側腕１３４bの端はスライド部材１１０の結合孔１１８aに旋回可能に挿入される。
【００５０】
第１トーションスプリング１２０は外力が加えられない状態では両腕１２４a、１２４bの間の角がなるべく大きいものが望ましい。第２トーションスプリング１３０の場合も同じである。トーションスプリングの両腕の間の角が大きいほどスライド部材１２０の移動距離はさらに長くなるからである。
【００５１】
図１のスライディング装置１１０を上で説明したように組立てた後、ガイド部材１４０とスライド部材１１０に携帯電話の上部胴体と下部胴体をそれぞれ螺合すると、スライド方式の携帯電話(図示せず)が完成される。
【００５２】
図２ないし図５は、第１実施例によるスライディング装置１００の運動状態を示す。外力が加えられない状態では二つのトーションスプリング１２０、１３０は最大限ひろがった状態を維持しようとする。したがって、外力が加えられない時には図２に示すようにスライド部材１１０がガイド部材１４０の上方向に一番遠く押し寄せている状態(以下、‘最上位の状態'と称する)と図５に示すようにスライド部材１１０がガイド部材１４０の下方向に一番遠く押し寄せている状態(以下、‘最下位の状態'と称する)の二つの状態のうちでいずれか一つの状態のみにあるようになる。
【００５３】
例えば、図２の最上位の状態で使用者が携帯電話の上部胴体と下部胴体にお互いに反対方向に外力を加えれば、その力がスライド部材１１０とガイド部材１４０に伝達されてスライド部材１１０は下方向に動くようになって、ガイド部材１４０は上方向に動く。その過程で、第１トーションスプリング１２０と第２トーションスプリング１３０が鈍角で開かれた状態で鋭角に折りたたんで二つのトーションスプリング１２０、１３０のコイル１２２、１３２がガイド部材１４０の下部半分領域に位置する状態である図３に示す状態を経由するようになる。外力が続いて加えられればスライド部材１１０は下方向にさらに動くようになって、その結果二つのトーションスプリング１２０、１３０のコイル１２２、１３２がガイド部材１４０の上部半分領域に位置する状態である図４に示す状態に至るようになる。二つのトーションスプリング１２０、１３０のコイル１２２、１３２がガイド部材１４０の上部半分領域に進入した後からはこれ以上外力を加えないとしても、二つのトーションスプリング１２０、１３０のバネ復元力による鈍角で開かれようとする力によってスライド部材１１０は図５に示す最下位の状態の位置にさらに移動するようになる。
【００５４】
このような過程を経ってスライド部材１１０は最上位の状態から最下位の状態に位置移動をするようになる。最下位の状態で最上位の状態への位置移動は図５から図２までの逆順の変化をたどりながら行われる。
【００５５】
最上位の状態または最下位の状態で、二つのトーションスプリング１２０、１３０はそれの弾性力がスライド部材１１０が上方向または下方向にバイアス(bias)されるように押圧されるのでラッチ(latch)機能も兼ねるようになる。
【００５６】
特に注目する点は、ガイド部材１４０の幅(W)に対するスライド部材１１０の最大移動距離(L)を長くするための配慮がスライド装置１００の設計に考慮されているという点である。スライド部材１１０の最大移動距離(L)を長くするためにはガイド部材１４０の幅方向の間隔を最大限多く活用する必要がある。これを可能にするための方法として、本発明は二つのトーションスプリング１２０、１３０のスライド部材１１０とガイド部材１４０に対する、結合位置に対する特別な考慮をしている。具体的に言うと、第１トーションスプリング１２０の一側腕１２４aの端をガイド部材１４０の右側端近くに位置させる時、残りの一側腕１２４bの端はスライド部材１１０の左側半分領域(図２では中央線(CL)の下の領域がこれに該当する)内に位置させる。同じくスライド部材１１０と結合される第２トーションスプリング１３０の腕１３４bはスライド部材１１０の右側半分領域内に位置させる。
【００５７】
上の方式(以下、‘第１方式')と異なり、スライド部材１１０と結合される第１トーションスプリング１２０の腕１２４bがスライド部材１１０の右側半分領域内に位置して、スライド部材１１０と結合される第２トーションスプリング１３０の腕１３４bはスライド部材１１０の左側半分領域内に位置させたら(以下、‘第２方式')、スライド部材１１０の最大移動距離(L)は上と比べると顕著に減る。なぜなら、ガイド部材１４０の幅(W)方向の空間を最大に活用することができないからである。
【００５８】
スライド部材１１０の最大移動距離(L)とガイド部材１４０の幅(W)との間には相関関係がある。幅(W)が狭くなれば最大移動距離(L)を長くするのに制約が加えられる。同一の最大移動距離(L)を得るのに第１方式に従う方が第２方式に従うよりガイド部材１４０の幅(W)を小さくして行くことができる。第１方式は二つのトーションスプリング１２０、１３０が旋回運動をしながら圧縮-伸長をする時、幅(W)方向の間隔を最大限活用するからである。
【００５９】
携帯電話は薄型短小の構造で設計されることが要求されている。スライド部材１１０とガイド部材１４０との幅(W)を小さくしながらも必要な最大移動距離(L)を得るためには第１方式がさらに有利である。したがって、携帯電話の設計において第２方式よりは第１方式が薄型短小の設計要求をさらに立派に収容することができることを意味する。
【発明の実施のための形態】
【００６０】
図６と図７は本発明の第２実施例によるスライディング開閉装置２００の組み立て状態の平面と背面をそれぞれ示す。第１実施例と異なる点は、スライド部材２１０とガイド部材２４０の構造との結合方式である。
【００６１】
ガイド部材２４０は四角形板材２４２の対向する平行な両側面に沿って第１及び第２ガイドバー２４４a、２４４bが延長されて、板材２４２の両側端近くのおおよそ中間付近のお互いにすこし外れて位置した所にはそれぞれV字溝の頂点に結合孔２４８a、２４８bが形成される。この二つの結合孔２４８a、２４８bに第１トーションスプリング２２０の一側腕２２４aと第２トーションスプリング２３０の一側腕２３４aが旋回可能に挿入される。
【００６２】
スライド部材２１０は四角形板材２１２の対向する平行な両側端に第１及び第２ガイドバー２４４a、２４４bを滑走可能に内挿している滑走結合手２１４a、２１４bがそれぞれ形成されている構造を有する。また、スライド部材２１０の板材には第１トーションスプリング２２０の残りの他側腕２２４bが結合される結合孔２１８aと第２トーションスプリング２３０の残りの他側腕２３４bが結合される結合孔２１８bがそれぞれ形成される。
【００６３】
ガイド部材２４０の二つの結合孔２４８a、２４８bの位置と、スライド部材２１０の二つの結合孔２１８a、２１８bの位置はそれぞれ前の第１実施例で説明したところと同じである。また、ガイド部材２４０の背面とスライド部材２１０の背面にそれぞれ携帯電話の上部胴体及び下部胴体と結合するのに利用される多数の結合孔２４５、２１４bが形成されたことも前の第１実施例と同一である。進んで、第２実施例のスライディング装置２００の運動内容も前の第１実施例と同一であるので説明は省略する。
【００６４】
付加的に、前に言及した第１実施例において、スライド部材１１０の第１結合孔１１８aとガイド部材１４０の第２結合孔１４８bとの間の幅方向間隔はスライド部材１１０の第２結合孔１１８bとガイド部材１４０の第１結合孔１４８aとの間の幅方向間隔と同一にすることが望ましい。二つの幅方向間隔が一致しなければスライド部材１１０が左右方向にバイアスされて円滑なスライディング動作に妨害を受けるようになる。このような点は第２実施例にもまったく同じく適用される。
【００６５】
また、本発明の第３実施例によるスライディング開閉装置３００を図８ないし図１０に示す。図８及び図９は、本発明の第３実施例によるスライディング開閉装置の組み立て斜視図及び分解斜視図であり、図１０は図８のＡ-Ａ線断面図である。
【００６６】
スライディング装置３００はガイド部材３１０と、このガイド部材３１０上で滑走するスライド部材３２０及び、スライド部材３２０の滑走を助ける第１、第２トーションスプリング(torsion spring)３３０、３４０を含む。
【００６７】
具体的に、ガイド部材３１０は四角形板材３１２の対向する平行な両側面に沿って第１及び第２ガイドバー３５０a、３５０bが装着されている。この第１及び第２ガイドバー３５０a、３５０bは四角形板材３１２の両側面から一定間隔が離隔しているし、その両端が四角形板材３１２の上下の終端横棒３１４、３１６に固定されている。本実施例で第１及び第２ガイドバー３５０a、３５０bは円形棒材で形象化されているし、この外にも四角棒材やその他の多角断面の棒材で製作が可能である。この第１及び第２ガイドバー３５０a、３５０bの上下両端には緩衝ゴムら３５２a、３５２a´、３５２b、３５２b´が挟まれた状態で上下の終端横棒３１４、３１６に進入固定される。この上下緩衝ゴム３５２a、３５２a´、３５２b、３５２b´は第１及び第２ガイドバー３５０a、３５０bの端部に被せられるように帽子のような形象をしているし、ガイド部材３１０からスライド部材３２０が上下で滑走後に停止時にお互いに直接衝突することを防止して、ひいてはスライド部材３２０の滑走時にガイド部材３１０に装着された第１及び第２ガイドバー３５０a、３５０bの平行度を維持するようにする。
【００６８】
四角形板材３１２の両側端近くのおおよそ中間付近のお互いに少し外れて位置した所にはそれぞれ結合孔３１２a、３１２bが形成される。この二つの結合孔３１２a、３１２bに第１トーションスプリング３３０の一側腕３３２aと第２トーションスプリング３４０の一側腕３４２aが旋回可能に挿入される。ガイド部材３１０には携帯電話の上部胴体(通常、カバーと称する、図示せず)に固定させるための結合孔(３１４a、３１４b、３１６a、３１６b)が形成されている。これらの結合孔３１４a、３１４b、３１６a、３１６bは上部終端横棒と下部終端横棒の左右側に一つずつ四方角に総４個を設けるのが望ましくて、図示したように上部胴体を下部胴体から最上位の位置にスライディング移動させた場合に上部終端横棒３１４は露出するので、上部終端横棒３１４の左右側に形成された結合孔３１４a、３１４bは外部に露出しないようにその内面に雌螺旋を形成して上部胴体でボルトで締結されることができるようにするし、常に露出しない下部終端横棒３１６の左右側に設けられた結合孔３１６a、３１６bは貫通孔で形成してボルトとナットで締結されるようにすることがさらに望ましい。
【００６９】
前述した第１及び第２ガイドバー３５０a、３５０bと対向する四角形板材３１２の両側面には第１及び第２案内顎３１８a、３１８bが形成されている。具体的には、第１ガイドバー３５０aと対向する第１案内顎３１８aと第２ガイドバー３５０bと対向する第２案内顎３１８bは四角形板材３１２の両側面から平行に直線で延長して突き出た直線突出部になっている。
【００７０】
スライド部材３２０はガイド部材３１０に直線方向に滑走することができるように結合される。このためスライド部材３２０の構造において、直四角形基板部３２２の対向する平行な両側端に沿って第１及び第２滑走結合手３２４a、３２４bが具備されている。この第１及び第２滑走結合手３２４a、３２４bにはガイド部材３１０の第１及び第２ガイドバー３５０a、３５０bがそれぞれ貫通して滑走可能に挟まれる第１及び第２ガイドホール３２６a、３２６bが形成されている。第１及び第２ガイドホール３２６a、３２６bには第１及び第２ガイドバー３５０a、３５０bと滑走時の接触摩擦を解消するために軸受けら３２７a、３２７a´、３２７b、３２７b´がそれぞれ上下一対ずつ挿入装着されている。この上下軸受けら３２７a、３２７a´、３２７b、３２７b´のうち上部側軸受けら３２７a、３２７bはスライド部材３２０からすこし突き出ているし、下部側軸受けら３２７a´、３２７b´はスライド部材３２０に完全に挿入されている。これらと対応されるようにガイド部材３１０の上下内側に第１及び第２ガイドバー３５０a、３５０bの上下両端を囲みながら装着された上下緩衝ゴム３５２a、３５２a´、３５２b、３５２b´は上部側は上部終端横棒３１４の表面から一定深さで完全に埋沒されているし、下部側は下部終端横棒３１６の表面からすこし突き出ている。これは滑走時に露出する上部終端横棒３１６部分で緩衝ゴム３５２a、３５２bが露出することを防止して美観をより美麗にさせるための配慮である。このような構造によって、ガイド部材３１０とスライド部材３２０は直接接触しないで対応される上下軸受け３２７a、３２７a´、３２７b、３２７b´と上下緩衝ゴム３５２a、３５２a´、３５２b、３５２b´がそれぞれ接触して衝撃を緩和して騷音を低減するようになる。
【００７１】
第１及び第２滑走結合手３２４a、３２４bにはまた内側で対向する突出型の第１及び第２レール３２８a、３２８bが形成されているし、この第１レール３２８aと第２レール３２８bはガイド部材３１０の第１案内顎３１８aと第２案内顎３１８bにそれぞれ滑走可能にかみ合う。この時、第１及び第２レール３２８a、３２８bとそれとかみ合う第１及び第２案内顎３１８a、３１８bの間には少しの遊隔があり、したがって滑走時にお互いに接触しない。滑走時には第１及び第２ガイドバー３５０a、３５０bと第１及び第２ガイドホール３２６a、３２６bが主導的にお互いに作用しながら運動するようになって、第１及び第２案内顎３１８a、３１８bと第１及び第２レール３２８a、３２８bは補助的に水平運動で他の方向への歪みや外れを抑制してガイド部材３１０からスライド部材３２０が安定的な走行が可能にさせる。
【００７２】
そして、スライド部材３２０の直四角形基板部３２２の中央部分の二つの支点には第１及び第２トーションスプリング３３０、３４０の一端が固定される二つの結合孔３２９a、３２９bが形成されている。二つの結合孔３２９a、３２９bはスライド部材３２０の幅を半分で分ける中央線(ＣＬ)で所定間隔が離隔されて布陣される。スライド部材１２０にも携帯電話の下部胴体(図示せず)に固定するための多数の結合孔３２０a〜３２０dが形成されている。
【００７３】
第１トーションスプリング３３０はおおよそ円形で巻線された第１コイル３３４とこの第１コイル３３４の両端で所定長さで延長された両腕３３２a、３３２bで構成される。そして、両腕３３２a、３３２bの端はおおよそ直角で折り曲げられる。第１トーションスプリング３３０はお互いに係合されたスライド部材３２０とガイド部材３１０が形成する間の空間に配置される。そして、第１トーションスプリング３３０の一側腕３３２aの端はガイド部材３１０の結合孔３１２aに旋回可能に挿入されて、残りの他側腕３３２bの端はスライド部材３２０の結合孔３２９aに旋回可能に挿入される。
【００７４】
第２トーションスプリング３４０も形象は第１トーションスプリング３３０とほとんど同一に、第２コイル３４４をなかに置いて所定長さで延長された両腕３４２a、３４２bで構成されて、両腕３４２a、３４２bの端も折り曲げられている。第２トーションスプリング３４０の一側腕３４２aの端はガイド部材３１０の結合孔３１２bに旋回可能に挿入されて、残りの他側腕３４２bの端はスライド部材３２０の結合孔３２９bに旋回可能に挿入される。
【００７５】
第１トーションスプリング３３０は外力が加えられない状態では両腕３３２a、３３２bの間角がなるべく大きいことが望ましい。第２トーションスプリング３４０の場合も同じである。トーションスプリングの両腕の間角が大きいほどスライド部材３２０の移動距離はさらに長くなるからである。
【００７６】
スライディング開閉装置３００を上で説明したところのように組立てた後、ガイド部材３１０とスライド部材３２０に携帯電話の上部胴体と下部胴体をそれぞれ螺合すると、スライド方式の携帯電話(図示せず)が完成される。通常スライド携帯電話は下部胴体を手で握ってカバーに該当する上部胴体を上に押しあげて使用するので、下部胴体に固定されたスライド部材上で上部胴体に固定されたガイド部材が移動する。上のようにガイド部材とスライド部材を携帯電話の各片に固定するのが最適であるが、スライド部材とガイド部材は相互運動することで、ガイド部材を下部胴体に、そしてスライド部材を上部胴体に装着しても動作上には障害を誘発しない。
【００７７】
図１１ないし図１４は第３実施例によるスライディング開閉装置３００の運動状態を示す。外力が加えられない状態では二つのトーションスプリング３３０、３４０は最大限ひろがった状態を維持しようとする。したがって、外力が加えられない時には図１１に示すようにスライド部材３２０がガイド部材３１０の上方向に一番遠く押し寄せている状態(以下、‘最下位の状態'と称する)と図１４に示すようにスライド部材３２０がガイド部材３１０の下方向に一番遠く押し寄せている状態(以下、‘最上位の状態'と称する)の二つの状態のうちでいずれか一つの状態のみにあるようになる。ここで、最下位の状態と最上位の状態という用語はスライド部材３２０が固定されていて、それと結合されたガイド部材３１０が移動するという前題下に、スライド部材３２０がガイド部材３１０の一番上方にある時には反対にガイド部材３１０は一番下側に位置するので、最下位の状態になって、その反対の場合は最上位の状態になることを意味する。
【００７８】
例えば、図１１の最下位の状態で使用者が携帯電話の上部胴体と下部胴体にお互いに反対方向に外力を加えれば、その力がガイド部材３１０とスライド部材３２０に伝達してスライド部材３２０は下方向に動くようになって、ガイド部材３１０は上方向に動く。その過程で、第１トーションスプリング３３０と第２トーションスプリング３４０が鈍角で開かれた状態で鋭角に折りたたんで、二つのトーションスプリング３３０、３４０のコイル３３４、３４４がガイド部材３１０の上部半分領域に位置する状態である図１２に示す状態を経験するようになる。外力が続いて加えられればガイド部材３１０は上方向にさらに動くようになって、その結果二つのトーションスプリング３３０、３４０のコイル３３４、３４４がガイド部材３１０の下部半分領域に位置する状態である図１３に示す状態に至るようになる。二つのトーションスプリング３３０、３４０のコイル３３４、３４４がガイド部材３１０の上部半分領域に進入した後からはこれ以上外力を加えないとしても、二つのトーションスプリング３３０、３４０のバネ復元力、すなわち鈍角で開かれようとする力によってガイド部材３１０は図１４に示す最上位の状態の位置に自然的に移動するようになる。
【００７９】
特に、二つのトーションスプリング３３０、３４０はそれの弾性力がガイド部材３１０を上方向または下方向に押してくれるので、最上位の状態または最下位の状態の位置に停止状態を維持するようになる。
【００８０】
このような過程を経ってガイド部材３１０は最下位の状態から最上位の状態に位置移動をするようになる。最上位の状態で最下位の状態への位置移動は上の説明の逆で図１４から図１１までの手順に変化をたどりながらなされる。
【００８１】
一方、図１５ないし図１８は本発明の第４実施例によるスライディング開閉装置４００を示す。図１５及び図１６は本発明の第４実施例によるスライディング開閉装置の組み立て斜視図及び分解斜視図であり、図１７及び図１８はそれぞれ図１５のＢ-Ｂ線及びＣ-Ｃ線断面図である。この実施例で第３実施例と異なる点は、ガイド部材４１０の第１及び第２案内顎４１８a、４１８bとスライド部材４２０の第１及び第２レール４２８a、４２８bの構造と結合方式である。
【００８２】
これについて具体的に説明すると、四角形板材４１２の両側面に平行に形成された第１及び第２案内顎４１８a、４１８bが上部側と下部側が分割されて上部側４１８a´、４１８b´は後方(スライド部材との結合反対側)から突き出て下部側４１８a″、４１８b″は前方(スライド部材側)から突き出ている。特に、後方に突き出された上部の第１及び第２案内顎４１８a´、４１８b´は四角形板材４１２の長さの１/３〜１/４区間に形成されて、残りの区間では前方に突き出た下部の第１及び第２案内顎４１８a″、４１８b″が形成されている。上部の第１及び第２案内顎４１８a´、４１８b´はスライド部材４２０の長さより小さくして、スライド部材４２０がガイド部材４１０の一番上側に位置する場合に第１及び第２レール４２８a、４２８bの下端の一定部分が下部の第１及び第２案内顎４１８a″、４１８b″と係合されるようにして、それと共に上部終端横棒４１４で四角形板材４１２側に下部の第１及び第２案内顎４１８a″、４１８b″と同一な高さと厚さで係合顎ら４１４´、４１４″を突き出させて第１及び第２レール４２８a、４２８bの上端一定部分が係合されるようにして外側に離脱することを防止する。
【００８３】
スライド部材４２０の第１及び第２レール４２８a、４２８bは下部の第１及び第２案内顎４１８a″、４１８b″を内部に収容した状態でかみ合うようになって、上部の第１及び２案内顎４１８a´、４１８b´は第１及び第２レール４２８a、４２８bの底面に密着されてスライド部材４２０を支持するようになる。このために、第１及び第２案内顎４１８a´、４１８b´と接触する第１及び第２レール４２８a、４２８bの底面部分は厚さが薄くなるようになる。
【００８４】
以上説明したことを除いては第３実施例とほとんど同一な構成を有して、同一な部分に対しては説明を省略する。但し、第３実施例では下部側終端横棒３１６を四角形板材３１２と個別的に製作してボルトで締結組み立てしたが、この第４実施例では上部側終端横棒４１４を個別的に製作してボルト４１９で締結組み立てしている。
【００８５】
図１９及び図２０は本発明の第５実施例によるスライディング装置５００の組み立て斜視図及び分解斜視図である。そして、図２１は図１９のＤ−Ｄ線断面図である。第５実施例ではガイド部材５１０とスライド部材５２０との形象において少し差があるだけで、その構成においては第３実施例とほとんど同一である。但し、第３実施例では上下軸受けのうちスライド部材から一側は突き出て、他側は埋入されていて、それと対応される上下緩衝ゴムらも一側はガイド部材に一定深さで埋沒されていて、他側は突き出されている反面に、本実施例では上下軸受けら５２７a、５２７a´、５２７´５２７b´はすべて埋入されていて、それと接触する上下緩衝ゴムら５５２a、５５２a´、５５２b、５５２b´はすべて突き出ている。この場合、美観上にはやや良くないこともあるが、作動上には格別に問題がない。すなわち、上部緩衝ゴム５５２a、５５２bは携帯電話の上部胴体がスライディング上昇した場合に露出するので、上部緩衝ゴムが突き出されていれば目立って美観を害することがある。しかし、その反対給付として緩衝ゴムを突き出させることが埋沒するより組み立てが容易であるので、組み立て性を向上することができる。勿論、反対に上下軸受けらをすべて突き出させて、それと対応される上下緩衝ゴムらをすべて埋沒させて接触するようにすることもできる。
【００８６】
また一方で、上に説明した第５実施例をすこし変形して図２２及び図２３のような構成で実施することもできる。
【００８７】
図２２及び図２３は本発明の第６実施例によるスライディング開閉装置６００の分解斜視図及びその組み立て断面図であり、図示したようにスライド部材６２０の直四角形基板部６２２の両側に設けられた第１及び第２滑走結合手６２４a、６２４bを直四角形基板部６２２の両側の全区間にかけて形成しないで、その長さより小さく形成して最上位の状態や最下位の状態に位置する場合スライド部材６２０の直四角形基板部６２２がガイド部材６１０の上下部終端横棒６１４、６１６を越えるようにしてスライド携帯電話のスライディング距離を増加させることができる。これはスライド部材６２０の直四角形基板部６２２及びガイド部材６１０のガイドバー６５０a、６５０bが第５実施例と同一な長さであるとする時、より多い作動距離を確保することができるようにする。
【００８８】
進んで、スライド部材６２０とガイド部材６１０はすべて伝導性を有する金属材質であって可動性がある部材であるので、携帯電話の送受信の電磁波に影響を及ぼすことができる要素である。これら二つの部材が携帯電話の送受信電磁波に及ぶ影響を最小化するためには、これら二つの部材の電位を携帯電話の基準電位と同一電位で作る必要がある。このため一つの方案として、これら二つの部材それぞれを携帯電話の基準電位点にそれぞれ別に電気的に連結することである。他の方案としては、導電性スライド部材６２０とガイド部材６１０はこれらが滑走運動をする間にも、常にお互いに電気的に接続された状態を維持するようにしてこれら二つの部材間の電位差が存在しないようにすると同時に、電気的に一体化されたこれら二つの部材を携帯電話の基準電位点に電気的に接続させることである。すなわち、図２４と図２５に示すようにガイド部材６１０の案内顎６１８aと対面しているスライド部材６２０のレール６２８a内側に接触板６６０を固定させて、二つの部材を電気的に接続させることが望ましい。この時、接触板６６０は弾性を有する板スプリングにしたものが良くて、そうするとスライド部材６２０とガイド部材６１０との滑走時にレール６２８a内側に固定された接触板６６０は案内顎６１８aに弾性接触しながら移動するようになる。接触板６６０の固定は小さなボルトやスクリューなどの締結部材を利用するか、または直接スライド部材に熔接する方法が使用されることができる。接触板６６０はこの外にも常時スライド部材とガイド部材が接触することができる位置なら、どの所でも設置が可能である。このような接触板は本実施例でだけでなく、前で説明した第３ないし第５実施例にすべて適用するのが望ましい。
【００８９】
図２６及び図２７は本発明の第７実施例によるスライディング開閉装置７００の結合斜視図及びそのＥ−Ｅ線断面図であり、上で説明した第３実施例を変形してガイド部材７１０の案内顎７１８a、７１８bを直四角形板材７１２の両側縁に沿って突き出させて、その案内顎７１８a、７１８bの側面にガイドバー７５０a、７５０bを密着させて結合させる。この時、円筒状のガイドバー７５０a、７５０bが一定部分進入されるように案内顎７１８a、７１８bの側面にはガイドバー７５０a、７５０bの曲線と符合される進入溝７１９a、７１９bが設けられている。一方、左右一対の第１及び第２ガイドバー７５０a、７５０bと結合する一対の第１及び第２ガイドホール７２６a、７２６bはスライド部材７２０の滑走結合手ら７２４a、７２４bに内側に対向して形成されて、この第１及び第２ガイドホール７２６a、７２６bは内側に開放されて、その断面が弧形態をなして第１及び第２ガイドバー７５０a、７５０b表面の一部分を囲んでいる。このように第１及び第２ガイドホール７２６a、７２６bは一側方に開放されて実質的に溝であるが、説明及び用語定義の便宜上に孔と通称する。また、ガイドホール７２６a、７２６b外側には案内顎ら７１８a、７１８bとかみ合う案内レールら７２８a、７２８bが形成されている。
【００９０】
このような構造によって、スライド部材７２０の滑走結合手ら７２４a、７２４bがガイドバーら７５０a、７５０bを一定部分囲みながら案内レール７２８a、７２８bがガイド部材７１０の案内顎７１８a、７１８bにかみ合う二重のガイディング構造を有するようになる。このような構造でも前の第３実施例とほとんど同一な動作と效果を有して、したがってそれに対する具体的な説明は省略する。
【００９１】
図２８及び図２９は本発明の第８実施例によるスライディング開閉装置８００の結合斜視図及びそのＦ−Ｆ線断面図である。本実施例は前の第７実施例で案内顎と案内レールの構造をとり除いてガイドバーら８５０a、８５０bとガイドホールら８２６a、８２６bの結合構造によってガイド部材８１０でスライド部材８２０の滑走を案内する構造を示している。このような滑走案内構造は前の実施例らの二重案内構造に比べて安全性はすこし落ちるが、大した無理なくスライド部材の滑走をガイドすることができる。
図３０ないし図３２は本発明の第９実施例によるスライディング開閉装置９００の構成及び具現原理を説明するための説明図らである。
【００９２】
図示したように、ガイド部材９１０にはスライド部材９２０が滑走可能に結合されている。ガイド部材９１０とスライド部材９２０との間には第１及び第２トーションスプリング９３０、９４０が介在されて滑走運動力を提供する。すなわち、第１及び第２トーションスプリング９３０、９４０は、中央部のコイル部９３４、９４４から一対の腕ら９３２a、９３２b、９４２a、９４２bが伸ばされて行って鈍角をなしているが、それらの一側腕９３２a、９４２aはガイド部材９１０に固定されて、それらの他側腕９３２b、９４２bはスライド部材９２０に固定されてガイド部材９１０とスライド部材９２０が相互滑走運動を開始すると、その位置によって第１及び第２トーションスプリング９３０、９４０の腕ら９３２a、９３２b、９４２a、９４２bが鋭角に圧縮されてから再び元の状態(鈍角)に復帰するようになる。よって、第１及び第２トーションスプリング９３０、９４０は圧縮終点を超えれば膨脹復元しながら走行方向の終着支点までの移動力を提供するようになる。
【００９３】
ところが、従来技術で言及したところのように携帯電話などのスライディングメカニズム採用機器が小型化されることによって、スライディング開閉装置の幅を小さくして滑走距離を大きくするためにスライド部材の中心部に固定される第１及び第２トーションスプリングの腕の端部が滑走方向と平行な幅方向の中心線に対して反対側に位置してお互いに一定間隔が離れて擦れ違うように位置する。その結果、ガイド部材上でスライド部材が滑走すると死点(止め区間)がたくさん生ずるようになるが、本発明では第１及び第２トーションスプリング９３０、９４０の他側可変腕９３２b、９４２bの端部をスライド部材９２０に直接固定しないで、スライド部材９２０のおおよそ中央部位で一定角度で旋回される可変リンク９５０にリンク軸９５２を頂点にして、両側に対向してそれぞれ旋回可能に固定することで上のような問題を解決している。
【００９４】
これに対してもうすこし詳細に説明すると、可変リンク９５０はその中間部位がスライド部材９５０の中央部位にリンク軸９５２で回転可能に固定されていて、リンク軸９５２を基点に可変リンク９５０の左側には第１トーションスプリング９３０の可変腕９３２bの端部が旋回可能に結合されていて、可変リンク９５０の右側には第２トーションスプリング９４０の可変腕９４２bの端部が旋回可能に結合されている。この時、第１及び第２トーションスプリング９３０、９４０の可変腕９３２b、９４２bを一定角度で折り曲げさせることで、スプリングの可動角度を減らして疲労度を軽減して、第１及び第２トーションスプリング９３０、９４０の旋回時に第１及び第２トーションスプリング９３０、９４０と可変リンク９５０の干渉を排除して空間制約を乗り越えて、スプリングの復元力を増進している。このような可変リンク９５０の連結構造によって第１及び第２トーションスプリング９３０、９４０の可変腕ら９３２b、９４２bの端部の固定点(旋回軸)はガイド部材９１０とスライド部材９２０の滑走によって変わるようになる。この時、第１及び第２トーションスプリング９３０、９４０の固定腕ら９３２a、９４２bの端部はそれぞれガイド部材９１０の両側端から滑走方向に見る時、中間位置でいずれかの方にややかたよった位置に足踏み回転可能に固定されている。本実施例では第１トーションスプリング９３０の固定腕９３２aはガイド部材９１０の右側端のうち滑走方向への中間位置に及ぶことができなかった下方側に固定されているし、第２トーションスプリング９４０の固定腕９４２aはガイド部材９１０の左側端のうち滑走方向から見る時、第１トーションスプリング９３０の固定腕９３２aよりすこし上側に固定されている。
【００９５】
スライド部材９２０が最下位の位置にある時には、第１及び第２トーションスプリング９３０、９４０の可変腕９３２b、９４２bが固定された可変リンク９５０は図３０でのように垂直線を基準に一定角度で旋回されて傾いた状態で位置する。この時、可変リンク９５０の傾斜角(θ)は垂直線を基準に２０〜６０度程度が適当であり、より望ましくは３０〜５０度が好適であり、この状態でガイド部材９１０上でスライド部材９２０を滑走させれば、第１及び第２トーションスプリング９３０、９４０が圧縮されながら、それらの可変腕ら９３２b、９４２bが可変リンク９５０の結合点らを押して可変リンク９５０もまたリンク軸９５２を頂点にして時計方向に回転してほとんど水平をなすようになる。それによって、第１及び第２トーションスプリング９３０、９４０のコイル部９３４、９４４も一定な軌跡を描きながら回転するようになって、その結果第１及び第２トーションスプリング９３０、９４０の復元力の大きさが同一であり、それらの力の方向が反対になる支点で止め現象が生じるようになるが、本発明は第１及び第２トーションスプリング９３０、９４０の復元力の大きさが同一になる支点でお互いの力の方向が同一方向をなすように可変リンク９５０が第１及び第２トーションスプリング９３０、９４０のコイル部９３４、９４４の旋回動作に連動して旋回されることで、止まり区間(死点)がほとんど発生しないようにする。よって、ガイド部材９１０上をスライド部材９２０が滑走する時、二つのトーションスプリング９３０、９４０が力の均衡をなす支点で止める現象をとり除くことができる。すなわち、可変リンク９５０は第１及び第２トーションスプリング９３０、９４０が力の大きさが対等な支点で図３１に示すように滑走方向とおおよそ直交する水平方向に位置して二つのスプリング９３０、９４０の力の方向を滑走方向と同一な方向になるようにすることで、止め現象をとり除いて滑走方向への円滑な滑走を助ける。その結果、図３２でのような状態でスライド部材９２０はガイド部材９１０上の最上位の位置に到逹するようになる。このような最上位の位置で第１及び第２トーションスプリング９３０、９４０は元の状態(鈍角)に近い鈍角の状態でひろがるようになって、その結果第１トーションスプリング９３０の可変腕９３２bは可変リンク９５０の左側固定部を下側に
引っぱる一方、第２トーションスプリング９４０の可変腕９４２bは可変リンク９５０の右側固定部を上側に引っぱってリンク軸９５２を中心にして可変リンク９５０を反時計方向に旋回させて傾斜させるようになる。これに加えて、第２トーションスプリング９４０の可変腕９４２bが可変リンク９５０のリンク軸９５２にかかりながらそれが固定された右側固定部を持ち上げて旋回力を倍加させるようになる。よって、可変リンク９５０は最上位の位置で垂直線に対して所定角度、望ましくは３０〜５０度で傾いた状態に位置するようになって、これは可変リンク９５０が水平状態で傾斜状態に転換された滑走方向での変位値程度の滑走(走行)距離を拡張させる結果をもたらす。これに照らして見る時、可変リンク９５０の傾きは最下位、最上位の位置で垂直線に近接するほど滑走距離が増加するようになるので、この点を考慮して可変リンク９５０の旋回角を設計すると良い。
【００９６】
特に、第１及び第２トーションスプリング９３０、９４０の固定腕９３２a、９４２aと可変腕９３２b、９４２bの長さ比は１．５〜２:１程度が望ましい。進んで、可変リンク９５０に固定される第１及び第２トーションスプリング９３０、９４０の可変腕ら９３２b、９４２bを外側に折り曲げさせて第１及び第２トーションスプリング９３０、９４０の可変腕ら９３２b、９４２bがなす間角らをさらに広く拡大するによって、トーションスプリング９３０、９４０の作動時に可変リンク９５０との干渉を最小化して空間制約を解消している。
【００９７】
図３３及び図３４は、本発明でトーションスプリングの固定腕の固定構造を詳細に示した断面図及び底面図であり、既存のトーションスプリングの固定端を結合することにおいての問題点らを解消するために改善した構造である。本図面では、第１及び第２トーションスプリングの固定腕らの固定構造は同一であるので、代表的に第１トーションスプリングの固定腕を例にして例示して説明する。
【００９８】
本発明でガイド部材９１０に旋回可能に固定されるトーションスプリング９３０の固定腕９３２aの固定構造は図３３及び図３４に示すようにガイド部材９１０にトーションスプリング９３０の回転半径方向に直線の長孔９１２を形成して、トーションスプリング９３０の固定腕９３２aの端部を折り曲げさせた状態で、この長孔９１２に挟みこめば弾性によって固定腕９３２aの端部が長孔９１２の最後方に後退しながら固定される。それでは、長孔９１２の背面に形成された案内溝９１４内にその折り曲げ端９３２a´が位置しながらかかるようになって、トーションスプリング９３０の足踏み旋回時には引張力が常に外側方向(矢印a方向)に作用するので離脱が防止される。この時、長孔９１２の長さ(l１)は固定腕９３２aの折り曲げ端９３２a´の長さ(l２)よりすこし大きく形成して、長孔９１２の幅は固定腕９３２aの直径とほとんど同じ大きさにして挿入後に固定腕９３２aが長孔９１２の幅方向に搖れないようにする。よって、長孔９１２に折り曲げ端９３２a´を上側で一点鎖線のように挿入した後に放すと圧縮されたスプリングがひろがりながら前に前進して実線のように折り曲げ端９３２a´がかかって固定される。このような結合構造は、固定腕(針金)の直径よりすこし大きい円形結合孔に固定腕を挟みこんだ後に背面で折り曲げさせて固定する従来方式の代りに先に外部で固定腕９３２aの端部を折り曲げさせた後に半径方向に形成された長孔９１２に簡単に挟んで組立てることで小さな構造物であるスライディング開閉装置でトーションスプリングの固定作業をより容易にすることができるようにする。特に、このような結合構造では長孔９１２が固定腕９３２aの回転半径方向に形成されていて折り曲げ端９３２a´の弾性力が外側方向に作用して常時固定腕９３２aが長孔９１２の外側端部に密着されて固定腕９３２aが長孔９１２の幅方向には搖れないように挟まれるので、固定腕９３２aの旋回時に摩擦を最小化してこれによる摩擦騷音を低減することができる。さらに、折り曲げ端９３２a´が長孔９１２の結合部位で搖れないで安定的に足踏みで旋回されるので、作動時に負荷及び疲労度を減らして寿命を延ばすことができる。
【００９９】
図３５ないし図３７は可変型の本発明と固定型の既存装置でのトーションスプリングの運動軌跡を比べて示した各図面であり、トーションスプリングのうちで実線で表示されたものは本発明装置のものであり、点線で示したものは既存装置のものである。この図面では、本発明装置と既存装置に使用されたトーションスプリングらが弾性力と大きさが同じであるという前題下で、最下位の位置、中間位置及び、最上位の位置での軌跡のみを示した。ここで、圧縮されない元々状態のスプリング角度が１３０度であり、最大圧縮角が２０度であるスプリングが使用された場合を例にしてガイド部材上をスライド部材が移動することによる第１、第２トーションスプリングの軌跡が図３５ないし図３７に示されているし、それによる圧縮角が下表に示されている。
【０１００】
【表１】
2008502175.tif 000004
【０１０１】
上の表でα１、α３、α５は第１トーションスプリング９３０の最下位の位置、中間位置、最上位の位置での固定腕９３２aと可変腕９３２bとの間角を示して、それぞれ１１０度、６５度、１３０度であるので、最大可動角６５度の範囲内で可動がなされるようになる。これと共に、α２、α４、α６は第２トーションスプリング９４０の最下位の位置、中間位置、最上位の位置での固定腕９４２aと可変腕９４２bとの間角を示して、それぞれ１３０度、６５度、１２０度であるので、最大可動角６５度の範囲内で可動がなされるようになる。
【０１０２】
これに比べて、トーションスプリングらの両端が固定されている既存の装置では第１トーションスプリング３０は最下位の位置、中間位置、最上位の位置での間角がβ１、β３、β５で９５度、４５度、１２０度であるので、最大可動角７５度の範囲内で可動がなされるようになる。これと共に、第２トーションスプリング４０は最下位の位置、中間位置、最上位の位置での間角がβ２、β４、β６で１２０度、４５度、１１５度であるので、最大可動角７５度の範囲内で可動がなされるようになる。
【０１０３】
以上説明したように、本装置では第１トーションスプリング９３０が最大６５度の可動角を有するのに比べて、従来装置では最大７５度の可動角を有して本装置より１０度をさらに多く可動するようになって、これはスプリングの疲労度を増加させるようになる。第２トーションスプリング９４０、４０においてもまた本装置では最大６５度の可動角を有するのに比べて、従来装置では最大７５度の可動角を有するので１０度をさらに多く可動するようになってスプリングの疲労度を増加させるようになる。これに加えて、従来装置はスプリングの本来角度である１３０度を基準にする時、本装置（１３０〜６５度）に比べてさらに多く圧縮された角度(１２０〜４５度)の範囲で可動がなされるので、疲労度がさらに増加するようになる。
【０１０４】
併せて、可変リンク９５０は最下位の位置で傾斜をなしていてから移動しながら水平をなして移動している途中、再び最上位の位置では反対に旋回して傾斜をなすようになる。この時、なした傾斜はトーションスプリングら９３０、９４０の復元力及び干渉によって旋回されてなされるものであり、図面で見る時に最下位の位置では第１トーションスプリング９３０の可変腕９３２bによる下降しようとする力と第２トーションスプリング９４０の可変腕９４２bによる上昇しようとする力が、可変リンク９５０の左側及び右側にそれぞれ作用しながらリンク軸９５２を頂点に反時計方向に旋回されて傾斜される。また、最上位の位置では第１トーションスプリング９３０の可変腕９３２bによる下降しようとする力と第２トーションスプリング９４０の可変腕９４２bによる上昇しようとする力が可変リンク９５０の左側及び右側にそれぞれ作用しながらリンク軸９５２を頂点で反時計方向に旋回されて傾斜される。よって、最下位の位置では既存の固定端を有した装置に比べて距離d１程度下側に滑走距離が増えるようになって、最上位の位置では既存装置に比べて距離d２程度上側に滑走距離が増えるようになる。このd１とd２が同一な距離であるとすれば、本発明装置は既存装置に比べてd１(またはd２)の２倍程度の滑走距離が増える。
【０１０５】
図３８は図３０ないし図３２に例示された本発明でリンク部分の変形例を示す斜視図であり、図３９及び図４０は図３８が適用されたスライディング開閉装置の動作原理を説明するための説明図らである。
【０１０６】
本実施例では、第１及び第２トーションスプリング９３０、９４０の可変腕ら９３２b、９４２bと対面している可変リンク９５０aの一面に旋回案内突起９５４を突き出させて、ガイド部材９１０とスライド部材９２０の滑走時に最上位の位置及び最下位の位置で可変リンク９５０aを所定角度で円滑に傾斜させるより望ましい構造を例示している。旋回案内突起９５４は最下位の位置で第１トーションスプリング９３０の可変腕９３２bに接触されて可変リンク９５０aが旋回されるようにする第１傾斜面９５４aと、最上位の位置で第２トーションスプリング９４０の可変腕９４２bに接触されて可変リンク９５０aが旋回されるようにする第２傾斜面９５４bを具備している。この第１傾斜面９５４aと第２傾斜面９５４bはリンク軸９５２を頂点にして対向するように位置されている。
【０１０７】
このような第１傾斜面９５４aと第２傾斜面９５４bを有する旋回案内突起９５４によって可変リンク９５０aはより確かで円滑に滑走区間の最上位の位置と最下位の位置で旋回動作がなされる。例えば、ガイド部材９１０上でスライド部材９２０が上昇して最上位の位置に到逹すると、図３９に示すように第２トーションスプリング９４０の可変腕９４２bの端部は旋回案内突起９５４の対面している第２傾斜面９５４bを押圧しながら回転して可変リンク９５０aを、リンク軸９５２を基点に旋回させる。これによってスライド部材９２０は可変リンク９５０aが旋回された滑走方向の距離程度に滑走距離が増えるようになる。反対に、ガイド部材９１０上でスライド部材９２０が下降して最下位の位置に到逹する場合には、図４０に示すように第１トーションスプリング９３０の可変腕９３２bが第１傾斜面９５４aを押圧しながら回転して可変リンク９５０aをリンク軸９５２を頂点に旋回させるようになる。この場合もスライド部材９２０の滑走距離が可変リンク９５０aが旋回された滑走方向の距離程度が増加するようになる。結果的に、可変リンク９５０aを旋回させる本メカニズムは最上位の位置及び最下位の位置で可変リンク９５０aが旋回された滑走方向への距離程度の滑走距離が増加するようになる。
【０１０８】
図４１及び図４２は、図３５ないし図４０に例示された本発明の第１０実施例の組み立て斜視図及びその分解斜視図である。
【０１０９】
本実施例はガイド部材９１０の両側端に一定間隔が離隔して第１、第２ガイドバー９１２a、９１２bが設けられていて、それと対向する板材の両側端に第１、第２案内顎９１４a、９１４bが形成されている。スライド部材９２０は両側端に結合手ら９２２a、９２２bが設けられてガイド部材９１０と滑走可能に結合されている。この結合手ら９２２a、９２２bは第１及び第２ガイドバー９１２a、９１２bが貫通する第１、第２ガイドホール９２４a、９２４bと、第１、第２案内顎９１４a、９１４bとに挟まれる第１、第２レール９２６a、９２６bを具備している。
【０１１０】
上のようなガイド部材９１０とスライド部材９２０の結合構造による滑走時に作動力を倍加させるためにガイド部材９１０とスライド部材９２０に介在される第１及び第２トーションスプリング９３０、９４０はその一端がガイド部材９１０の両側端のおおよそ中間部位に旋回可能に固定されて、その他端がスライド部材９２０に可変リンク９５０aを介在して旋回可能に固定されている。
【０１１１】
可変リンク９５０aはリンク軸９５２によってスライド部材９２０のおおよそ中央部位に回転可能に結合されているし、この可変リンク９５０aの両端に第１及び第２トーションスプリング９３０、９４０の可変端が固定されている。この可変リンクとしては、前述した可変リンク９５０または９５０aが使用されて、その構造及び動作原理は前で詳細に説明したので省略する。
【０１１２】
第１及び第２トーションスプリング９３０、９４０は中央のコイル部９３４、９４４とこのコイル部９３４、９４４から外側に伸びて行って、一定角をなしている直線形態の一対の腕ら９３２a、９３２b、９４２a、９４２bでなされている。この腕ら９３２a、９３２b、９４２a、９４２bの端部がガイド部材９１０とスライド部材９２０に固定されるが、特にスライド部材９２０には直接腕９３２b、９４２bの端部が固定されないで、可変リンク９５０aを介在して旋回可能に固定されている。よって、ガイド部材９１０とスライド部材９２０が滑走時に第１及び第２トーションスプリング９３０、９４０が圧縮膨脹しながら旋回するようになって、それによって可変リンク９５０aもスライド部材９２０で一定角度の範囲内で旋回及び復帰を繰り返すようになる。このような原理は上で詳しく説明したし、その結果滑走距離が長くなることは勿論であり、死点での止め現象が除去される。
【０１１３】
図４３及び図４４は本発明の第１１実施例によるスライディング開閉装置を示した組み立て斜視図及び分解斜視図である。
【０１１４】
本実施例は図４１及び図４２で例示した前の実施例とほとんど同一な構造を有して、本実施例ではガイド部材１０１０の両側に設けられた第１、第２ガイドバー１０１２a、１０１２bに沿ってスライド部材１０２０の第１、第２ガイドホールら１０２４a、１０２４bが移動して、補助的にガイド部材１０１０の第１、第２案内顎１０１４a、１０１４bに沿ってスライド部材１０２０の第１、第２レール１０２６a、１０２６bが案内されながら移動する。この時、滑走駆動力はガイド部材１０１０とスライド部材１０２０に前の実施例と同一に結合された第１、第２トーションスプリング１０３０、１０４０及び可変リンク１０５０によって提供される。このようなガイド部材１０１０とスライド部材１０２０の二重ガイディング構造を有するスライディング開閉装置でも、本発明の核心である第１、第２トーションスプリング１０３０、１０４０の可変軸構造が前の実施例と同一に可変リンク１０５０を適用して具現されることができる。それで、この部分に対する詳細な構成説明及び動作は省略する。
【０１１５】
図４５及び図４６は本発明の第１２実施例によるスライディング開閉装置を示した組み立て斜視図及び分解斜視図である。
【０１１６】
本実施例ではガイド部材１１１０の両側端に第１、第２ガイドバー１１１２a、１１１２bを装着して、これと結合されて滑走するようにスライド部材１０２０に第１、第２ガイドホール１１２４a、１１２４bが形成された結合手１１２２a、１１２２bを設けられている。そして、第１、第２トーションスプリング１１３０、１１４０はガイド部材１１１０にそれらの固定腕１１３２a、１１４２aが足踏み回転可能に結合されて、それらの可変腕１１３２b、１１４２bがスライド部材１０２０に可変リンク１０５０を媒介にして支持点(旋回軸)らの位置が移動しながら旋回される構造の結合をなしている。この実施例でも滑走を案内する案内構造を除いては、本発明の核心をなすトーションスプリングら１１３０、１１４０の可変固定構造においては図３０ないし図３２の原理がそのまま適用されたし、トーションスプリングら１１３０、１１４０の固定端の結合構造は図３３及び図３４に示す構造が適用されている。この部分は前で詳しく説明したので、それに対する詳細な説明は省略する。
【０１１７】
図４７及び図４８は本発明の第１３実施例によるスライディング開閉装置を示した組み立て斜視図及びその分解斜視図である。この実施例では第１、第２トーションスプリングの固定腕と可変腕を前の各実施例と反対にスライド部材とガイド部材にそれぞれ結合した構造を例示しているし、したがって可変リンクがガイド部材に結合された状態を示している。
【０１１８】
図示したように、可変リンク１２５０をガイド部材１２１０の長さ方向及び幅方向のおおよそ中央にリンク軸１２５２に回転可能に固定して、可変リンク１２５０の両側に第１及び第２トーションスプリング１２３０、１２４０の可変腕１２３２b、１２４２bの端部を旋回可能に結合して、第１及び第２トーションスプリング１２３０、１２４０の固定腕１２３２a、１２４２aの端部はスライド部材１２２０の幅方向の左右側端に近接して旋回可能に結合しても前の実施例らと同一に作動する。このような構造は単に、第１及び第２トーションスプリング１２３０、１２４０の腕ら１２３２a、１２３２b、１２４２a、１２４２bの固定位置を変えて、前の各実施例と反対にガイド部材１２１０に可変リンク１２５０を固定しただけで、その動作及び效果においては前の実施例らと同一であるので、それに対する詳細な説明は省略する。
【０１１９】
本実施例では追加的にガイド部材１２１０の両側端に形成された
2008502175.tif 000005
型の案内顎ら１２１４a、１２１４bとこれにかみ合うスライド部材１２２０の対応両側に設けられたレールら１２２６a、１２２６bの構造において、レールら１２２６a、１２２６bをスライド部材１２２０の全区間に形成しないで前方部及び後方部に一定長さ程度だけに突き出て形成させることで、ガイド部材１２１０に少しの歪みやしなうことが発生してもスライド部材１２２０が挟まって滑走が不可能になる問題点を解消する。すなわち、従来にはスライド部材の両側端の全区間にかけて長いレールらが突き出ることで、スライド部材の全区間でガイド部材とかみ合って結合されるので、ガイド部材が少しだけしなってもスライド部材が滑走移動することができない問題が露出されたが、本発明ではレールら１２２６a、１２２６bをスライド部材１２２０の前方部と後方部に少しずつ突き出させることによってスライド部材１２２０の前方部と後方部のみでガイド部材１２１０とかみ合って結合されるので、ガイド部材１２１０がある程度しなっても柔軟に滑走が可能である。
【０１２０】
図４９は本発明で可変リンクの他の実施例を示した斜視図であり、可変リンクは前の実施例らで例示したようにおおよそ直線形態、すなわち直四角形で構成されるのが望ましいが、この外にも多様な形態で形象化させることができる。他の実施例で、図４９に示すように円板形態で可変リンク１２５０aを形象化して、円板型可変リンク１２５０aの中心を基点にして両側にそれぞれ第１及び第２トーションスプリングを結合することができる。
可変リンクは上で説明した円板型や直線型の以外にも菱形形態、正四角形、楕円形など多様な形態の板材で構成が可能である。
【０１２１】
図５０は前で例示したトーションスプリングに替えて使用することができるシリンダー型スプリング手段の構造を示した断面図である。また、図５１及び図５２は本発明のスライディング開閉装置に採用されたスプリングの他の実施例を示した図面であり、この実施例では前で例示したトーションスプリングを取り替えて図５０に示すシリンダー型スプリング手段が適用された例を示している。特に、図５１には左右２個のシリンダー型スプリング手段が適用された例を示しているし、図５２には１個のシリンダー型スプリング手段が適用された例を示している。
【０１２２】
前で例示したトーションスプリングを取り替えて図５０に例示したようなシリンダー型スプリング手段が採用されることができる。このシリンダー型スプリング手段１３６０は図示したように、一側に開口されたシリンダー１３６２の内部にコイルスプリング１３６４を収容して、このコイルスプリング１３６４の内側にロッド(rod)１３６６を挿入してロッド１３６６の一定部分がシリンダー１３６２の開口１３６２aを通じて外部に突き出るように結合されている。特に、ロッド１３６６の表面には係止突起１３６６aが突き出されてその下面にはコイルスプリング１３６４の一側端がかかって規制されて、コイルスプリング１３６４の他側端はシリンダー１３６２の閉鎖された底面底に規制されてロッド１３６６の収縮膨脹時に復元力を提供するようになる。ロッド１３６６の係止突起１３６６aはまた上側面がシリンダー１３６２の開口１３６２a側の顎にかかってロッド１３６６の外部の離脱を防止するように設計されることが望ましい。また、シリンダー１３６２の端部とロッドの端部には固定部ら１３６２b、１３６６bがそれぞれ具備されて、スライド部材１３２０とガイド部材１３１０に固定するための固定溝ら１３６２c、１３６６cがそれぞれ形成されている。この固定溝ら１３６２c、１３６６cにスライド部材１３２０とガイド部材１３１０で固定片ら１３７０a、１３７０bをそれぞれ挟んでシリンダー型スプリング手段１３６０が旋回可能に結合される。
【０１２３】
上のような構造のシリンダー型スプリング手段は前で例示した第１及び第２トーションスプリングを取り替えてトーションスプリングらと同一な位置に図５１に示すように第１及び第２シリンダー型スプリング手段１４６０a、１４６０bが図５０で説明した結合方式によってスライド部材１４２０及びガイド部材１４１０に結合されることができる。勿論、この時に第１及び第２シリンダー型スプリング手段１４６０a、１４６０bの一端は可変リンク１４５０の両側にそれぞれ旋回可能に結合される。この時、ガイド部材１４１０の左側に結合された第１シリンダー型スプリング手段１４６０aはスライド部材１４２０の左側半分領域で移動可能に可変リンク１４５０のリンク軸１４５２から左側の方に結合されて、ガイド部材１４１０の右側に結合された第２シリンダー型スプリング手段１４６０bはスライド部材１４２０の右側半分領域で移動可能に可変リンク１４５０のリンク軸１４５２から右側の方に結合される。このように、旋回される可変リンク１４５０を採用することによってシリンダー型スプリング手段の動作距離を大きく確保することができる。勿論、可変リンクをとり除いて直接スライド部材に第１及び第２シリンダー型スプリング手段の一側を旋回可能に結合することもできる。
【０１２４】
また一つの方法として、シリンダー型スプリング手段１５６０を１個だけ使って、図５２に示すように可変リンク１５５０を媒介でスライド部材１５２０及びガイド部材１５１０に結合させて同一な作動を得ることができる。１個のシリンダー型スプリング手段１５６０を使用する場合、可変リンク１５５０を介在しないで直接ガイド部材１５１０またはスライド部材１５２０にすぐに結合することもできる。
【０１２５】
上のような図５１のデュアルタイプ(dual type)及び図５２のモノータイプ(mono type)のシリンダー型スプリング手段でも可変リンクによって前で例示した実施例らとほとんど同一に動作するので、その動作に対する詳細な説明は省略する。但し、トーションスプリングは両腕の角度の圧縮膨脹によって作動力が発生するものの、シリンダー型スプリング手段はシリンダー内にロッドが進入されるか、または進出しながら収縮膨脹して作動力を得るようになる。
【０１２６】
図５３は本発明の第１４実施例によるスライディング開閉装置を適用した応用機器を示した分離斜視図であり、図５４は図５３を組立てた状態での正面図であり、図５５は図５４を切断線Ｇ−Ｇ線で切った組み立て断面図である。本実施例では、応用機器でスライディング携帯電話を例示しているし、このスライディング携帯電話に一体化されたスライディングメカニズムとしては、ガイドバー型スライディングメカニズムを示している。
前で言及したように、携帯電話は本体２１００と該本体２１００の上側に装着されて本体２１００上でスライディング滑走するカバー２２００で構成されている。このようにカバー２２００が本体２１００上でスライディング滑走するために、カバー２２００と本体２１００との対面部位にはスライディングメカニズムが構成されている。すなわち、本実施例ではカバー２２００の背面にガイドレール構造を形成して、カバー２２００の背面と対向する本体２１００前面の上部側に、このガイドレール構造でスライディング滑走するスライド構造を具備している。このようなカバー２２００のガイドレール構造はその大部分の構成要素らがカバー２２００の背面に一体で成形されて、本体２１００のスライド構造は別個の板材で構成されて本体２１００の前面上部に装着される。
これに対して具体的に説明すると、図示したようにカバー２２００の背面には本体２１００のスライド構造が滑走方向に運動可能に収容される滑走空間２２１０が設けられている。カバー２２００の背面に凹入形成された滑走空間２２１０は滑走方向に滑走距離を考慮して形成されて、この滑走空間２２１０内にその左右側側壁と接して左右一対のガイドバーら２２２０a、２２２０bが装着されている。ガイドバーら２２２０a、２２２０bの両端をカバー２２００に固定させることにおいて、ガイドバーら２２２０a、２２２０bの一端は滑走空間２２１０と連通されてカバー２２００の背面の上部側に形成された固定溝ら２２１２a、２２１２bに挿入して、ガイドバーら２２２０a、２２２０bの他端は把持片２２３０に形成された固定溝ら２２３２a、２２３２bに挿入させた後、把持片２２３０をカバー２２００の背面の滑走空間２２１０下端部に密着させてボルト２２４０などの結合手段を通じて結合する。この時、ガイドバーら２２２０a、２２２０bの両端にゴムパッキング２２２２a、２２２２b、２２２４a、２２２４bを被せて固定溝ら２２１２a、２２１２b、２２３２a、２２３２bに挿入させて固定するか、またはそれともガイドバーら２２２０a、２２２０bの両端を固定溝ら２２１２a、２２１２b、２２３２a、２２３２bに直接挟んで固定する。前者の場合が組み立て誤差を償うか、またはスライディング滑走時の緩衝力を提供するのに有利であるので望ましい。勿論、カバー２２００の背面に直接形成された固定溝ら２２１２a、２２１２bを滑走空間２２１０の下端に形成して把持片２２３０を滑走空間２２１０の上端に固定しても上で説明したガイドレール構造と同一な動作と機能を遂行することは異論の余地がない。
【０１２７】
カバー２２００背面の滑走空間２２１０と対応される本体２１００の前面にはガイドレール構造で滑走するスライディング構造が具備されている。このスライディング構造は本体２１００と別個のスライド部材２１１０で製作されて本体２１００前面の上部にボルトら２１０２で締結固定される。スライド部材２１１０は滑走方向に左右一対の結合手ら２１２０a、２１２０bを具備するが、この左右一対の結合手ら２１２０a、２１２０bには滑走方向にガイドホールら２１２２a、２１２２bが形成されてカバー２２００背面に装着された左右のガイドバーら２２２０a、２２２０bにそれぞれ挟まれる。他の一方で、上のような構成を有するスライディング構造は本体２１００と一体で成形されることもできるが、これに対しては図５６を参照して詳細に後述する。
【０１２８】
また、本発明は上で説明したガイドバー案内構造の外にもレール案内構造が付加されている。これに対して詳細に説明すると、カバー２２００背面で滑走空間２２１０が終わる左右側壁には滑走空間２２１０側に案内レールら２２１４a〜２２１４fが突き出ている。これと対応して、カバー２２００の滑走空間に収容される本体２１００の結合手ら２１２０a、２１２０bの外側面には案内レール２２１４a〜２２１４fとかみ合う案内顎ら２１２４a、２１２４bが形成される。案内レール２２１４a〜２２１４fは図５３に例示したように滑走空間２２１０aで滑走方向に沿って上部側、中間部位側、下部側に分割して構成されている。特に、案内レールら２２１４a〜２２１４f間の間隔はそれとかみ合う案内顎ら２１２４a、２１２４bの分割された上下側間隔と一致して前側で滑走空間２２１０に挟まれることができるようになっている。このように案内レール２２１４a〜２２１４fを滑走空間２２１０の上下側及び中間部位側に構成すると止まり位置である上下位置で本体２１００とカバー２２００の拘束力が倍加されて使用状態でより丈夫な結束力を提供する。言い加えて説明すると、カバー２２００が最下位の位置にある時、すなわちカバー２２００を本体２１００と重ねて閉める時に上部側案内レール２２１４a、２２１４bが下って結合手ら２１２０a、２１２０bの案内顎ら２１２４a、２１２４bとかみ合うので、本体２１００とカバー２２００の結束力が強化されて外部衝撃によって容易に分離しないで、カバー２２００が最上位にある時、すなわちカバー２２００を本体２１００から上側にスライディングさせて開いた時に下部側案内レール２２１４e、２２１４fが上がって結合手２１２０a、２１２０bの案内顎ら２１２４a、２１２４bとかみ合うので、本体２１００とカバー２２００の結束力が強化される。携帯電話は通常使用時にカバー２２００が最上位と最下位に存在するので、この二つの所のみに案内レール２２１４a〜２２１４fを構成すると使用時の結束力を強化させることができる。以外にも、案内レールは滑走方向に沿って等間隔で多数個構成しても良くて、滑走方向に沿って連続的に延長突き出させて左右両側の全区間にすべて構成しても良い。以上説明したようにガイドバーによる滑走案内構造に加えてレール構造を併用して運行するのがスライディング滑走
時に直進性を保障するのに有利である。
【０１２９】
前述した滑走空間２２１０は本実施例では一対の結合手ら２１２０a、２１２０bを共に収容することができる１個の空間で形成しているが、結合手ら２１２０a、２１２０bがそれぞれ挿入収容されることができるように滑走方向に沿って２個の直線型溝で分割形成することもできる。進んで、案内レール２２１４a〜２２１４fと案内顎２１２４a、２１２４bは結合手ら２１２０a、２１２０bの内側に案内顎らを突き出させて滑走空間２２１０で結合手ら２１２０a、２１２０bの内側と対応される部位に案内レールを突き出させてかみ合うように構成することもできる。
【０１３０】
図５６はガイドバー型スライディングメカニズムが適用された本発明のまた他の実施例を示す分離斜視図である。図５７は図５６を組立てた状態で正面から見てスライディングメカニズムを概略的に示した図面である。
【０１３１】
本図面らに例示されたガイドバー型スライディングメカニズムでガイドバー案内構造は図５３ないし図５５で既に説明したガイドバーとガイドホールの構造及び結合関係と同一であるので、この部分に対する詳しい説明は省略する。
【０１３２】
携帯電話は本実施例でのようにより単純で組み立て性を改善するためにスライド構造自体も前の実施例のような別個のスライド部材ではなく、直接本体２１００aの上面に一体で成形して構成することができる。このような一体成形の結果、本体２１００a前面の上面に両方に一対の結合手ら２１２０c、２１２０dが突き出るようになるが、その構造及び形象は前の実施例と同一である。
【０１３３】
本実施例でレール案内構造をとり除いてガイドバー２２２０c、２２２０dとガイドホール２１２２c、２１２２dでなされたガイドバー案内構造のみでも、正確なスライディング動作を保障することができる。よって、案内レール２２１４g〜２２１４lと案内顎２１２４c、２１２４dでなされたレール案内構造をとり除いても動作には差し支えがないし、レール案内構造が加えられていればより一層精緻で安定的な動作が保障されることができるが、一方では製造金型が少し複雑になって組み立てが難しくなることがある。
【０１３４】
図５８は図５３に例示された機器のスライディングメカニズムに作動力を倍加するためのトーションスプリングらが装着されたまた他の実施例を示す分離斜視図である。本実施例は図５３ないし図５５に例示した実施例に一対のトーションスプリングを装着してスライディング運動力を倍加している。
【０１３５】
以下の説明で、前の実施例と同一な構成に対しては前の実施例で詳しく説明したので、そのような構成部分に対しては概略的に説明する。
【０１３６】
カバー２２００bの背面に凹入形成された滑走空間２２１０bに本体２１００bに形成された左右一対の結合手ら２１２０e、２１２０fを挿入させて結合するが、この時滑走空間２２１０bの左右両側に設けられたガイドバーら２２２０e、２２２０fに結合手ら２１２０e、２１２０fのガイドホール２１２２e、２１２２fを挟んで滑走空間２２１０bの左右端に設けられた案内レール２２１４m〜２２１４rに結合手ら２１２０e、２１２０fの案内顎ら２１２４e、２１２４fをかみ合うようにして結合する。そうすると、カバー２２００b背面の滑走空間２２１０bと本体２１００b前面の結合手ら２１２０e、２１２０fがなす間には空間が形成されて、この空間で一対の第１、第２トーションスプリング２３００a、２３００bを位置させて装着する。
【０１３７】
第１トーションスプリング２３００aはおおよそ円形で巻線された第１コイル２３１０aと、この第１コイル２３１０aの両端で所定長さで延長された両腕２３２０a、２３３０aで構成される。そして、両腕２３２０a、２３３０aの端はおおよそ直角で折り曲げられて、第１トーションスプリング２３００aの一側腕２３２０aの端は滑走空間２２１０bの左側中間高さに形成された結合孔２２１６aに旋回可能に挿入固定されて、残りの他側腕２３３０aの端は本体２１００bの左右結合手ら２１２０e、２１２０fのおおよそ中央位置に形成された結合孔２１３０aに旋回可能に挿入固定される。
【０１３８】
第２トーションスプリング２３００bも形象は第１トーションスプリング２３００aと同一であり、その両端の固定位置のみが異なるものであり、第２コイル２３１０bをなかに置いて所定長さで延長された両腕２３２０b、２３３０bで構成されて、両腕２３２０b、２３３０bの端も折り曲げられている。第２トーションスプリング２３００bの一側腕２３２０bの端は滑走空間２２１０bの右側中間の高さに形成された結合孔２２１６bに旋回可能に挿入されて、残りの他側腕２３３０bの端は本体２１００bの左右結合手ら２１２０e、２１２０fのおおよそ中央位置に形成された結合孔２１３０bに旋回可能に挿入される。
【０１３９】
第１トーションスプリング２３００aは外力が加えられない状態では両腕２３２０a、２３３０a間角がなるべく大きいことが望ましい。第２トーションスプリング２３００bの場合も同じである。トーションスプリングの両腕の間角が大きいほどスライド構造の移動距離はさらに長くなるからである。
【０１４０】
この第１、第２トーションスプリング２３００a、２３００bの構造及びその動作原理は前で詳細に説明したので、ここではそれに対する詳細な説明は省略する。
図５９は本発明によるスライディング開閉装置を適用した応用機器のまた他の実施例を示した正面図である。図６０は図５９の切断線Ｈ−Ｈ線で切った断面図である。本実施例では前の実施例らと反対にガイドレール構造を携帯電話の本体部分に構成して、スライド構造を携帯電話のカバー部分に構成したことを例示している。
【０１４１】
図示したように、本体２１００cの前面にボタン２１０４cが構成された部分を除いた両側の外郭側に左右一対の∪字凹入型滑走空間２１４０a、２１４０bを形成して、この滑走空間２１４０a、２１４０bにそれぞれガイドバー２１５０a、２１５０bを装着する。ガイドバー２１５０a、２１５０bの装着はガイドバーの上下両端を前の実施例で説明した方式で固定するが、滑走空間２１４０a、２１４０bの中央に配置するのが望ましい。滑走空間２１４０a、２１４０bの側壁には表面側で案内レール２１４２a、２１４２bが突き出ている。この案内レール２１４２a、２１４２bは滑走空間２１４０a、２１４０bの上下区間のみに構成するか、または全区間にかけて連続的に突き出させて構成することができる。また、案内レール２１４２a、２１４２bは滑走空間２１４０a、２１４０bを基準に外側側壁及び内側側壁のうちでいずれか１個所のみに構成するか、または両方すべて構成することもできる。
【０１４２】
カバー２２００cの背面には左右一対の滑走空間２１４０a、２１４０bに進入される結合手２２５０a、２２５０bが滑走空間２１４０a、２１４０bと対応する部位を突き出ている。よって、結合手２２５０a、２２５０bはそれぞれ対応される滑走空間２１４０a、２１４０b内に進入されて滑走空間２１４０a、２１４０bに沿って上下にスライディング滑走するようになるが、滑走空間２１４０a、２１４０b内に進入時にガイドバー２１５０a、２１５０bに挟まれて案内レール２１４２a、２１４２bにかみ合って安定的に滑走が可能に把持される。このために、結合手２２５０a、２２５０bには上下方向(滑走方向)に貫通するガイドホール２２５２a、２２５２bがそれぞれ形成されているし、案内レール２１４２a、２１４２bと対応される一側部位には案内顎２２５４a、２２５４bが案内レール２１４２a、２１４２bとかみ合うように突き出されている。
【０１４３】
このように、本体２１００c前面の両側に一対の滑走空間２１４０a、２１４０bと案内レール２１４２a、２１４２bの構造を本体２１００cと一体で成形して、滑走空間２１４０a、２１４０bの内部にガイドバー２１５０a、２１５０bを装着してガイドレール構造を構成することができる。これと共に、スライド構造はカバー２２００c背面から左右一対の結合手２２５０a、２２５０bに突出成形して、成形時に結合手２２５０a、２２５０bにガイドホール２２５２a、２２５２bと案内顎２２５４a、２２５４bを形成することでカバー２２００cと一体成形が可能である。そうすると、組み立て工数をよほど減少させることができるし、部品単価を減らすことができる。一方で、上のスライド構造は結合手らが左右両側に構成された板状のスライド部材で製作してカバー背面に付着する方式を取ることもできる。
【０１４４】
以上で説明したスライディングメカニズムは多くの変形を伴うことができるが、それに対するいくつかの変形例を下の図６１ないし図６４で説明する。
【０１４５】
図６１は本発明によるスライディング開閉装置を採用した応用機器のまた他の実施例を示した断面図である。また、図６２は図６１で案内レールと案内溝の一実施例を示した部分抜純断面図であり、図６３は図６１で案内レールと案内溝の他の実施例を示した部分抜純断面図である。
【０１４６】
ここに図示された実施例は図５９及び図６０で例示した実施例をすこし変形した変形例であり、図６１に例示したように滑走空間２１４０c、２１４０dを本体２１００dの側面まで延長して開口させて└形態の凹入形状で成形して、それと対応される結合手ら２２５０c、２２５０dもカバー２２００d側面と一直線をなしながら背面側に延長されるように成形する。その場合、本体２１００dの側面とカバー２２００dの側面は一直線をなすが、カバー２２００dで突き出た左右一対の結合手２２５０c、２２５０dの側面らがカバー２２００d側面の一部になりながら本体２１００d側面の一定部分を覆うようになる。この時、図６２に示すように案内レール２１４２cは本体２１００dの外側面に形成して、案内顎２２５４cは案内レールと対面するカバー２２００dの結合手２２５０c、２２５０dの内側面にそれぞれ形成するか、またはそれとも図６３でのように図６２と反対にして凹凸結合をなすように構成することができる。
【０１４７】
図６４は本発明によるスライディング開閉装置を採用した応用機器のまた他の実施例を示した断面図である。
【０１４８】
図示したように、本発明はスライディングメカニズムを応用機器の側面でも構成することができる。これに対して具体的に説明すると、携帯電話の本体２１００eの両側面に
2008502175.tif 000006
形の滑走空間２１４０e、２１４０fを形成して、この滑走空間２１４０e、２１４０fにそれぞれガイドバー２１５０e、２１５０fを装着してガイドバーの両端を固定する。
【０１４９】
そして、携帯電話の本体２１００eを覆うようにカバー２２００eの面積を本体２１００eに比べて広くして、カバー２２００eの側面を本体２１００eの側面を囲むように延ばして、その左右の結合手２２５０e、２２５０fが滑走空間２１４０e、２１４０f内に進入されるように折り曲げ形成する。このようにカバー２２００eの側面から折り曲げ形成された結合手２２５０e、２２５０fにはガイドホール２２５２e、２２５２fが形成されて本体２１００eの滑走空間２１４０e、２１４０f内でガイドバー２１５０e、２１５０fに挟まれて結合される。これによって、ガイドバー２１５０e、２１５０f上でガイドホール２２５２e、２２５２fが形成された結合手２２５０e、２２５０fが滑走運動することによって、本体２１００e上でカバー２２００eがスライディング滑走するようになる。
【０１５０】
それと同時に、滑走空間２１４０e、２１４０fの一側または両側の上端及び/または下端に案内レール(図示せず)を設置するか、またはスライディング区間に全体的に案内レールを設置して、本体２１００eの案内レールと対応される結合手２２５０e、２２５０fの側面に案内顎(図示せず)を形成してかみ合うように結合させることによって、ガイドバー２１５０e、２１５０fとガイドホールら２２５２e、２２５２fのスライディング動作と併せて案内レールに沿って案内顎が案内されながら滑走空間２１４０e、２１４０f内で結合手２２５０e、２２５０fが移動して本体２１００eでカバー２２００e)がより安定的に滑走運動するようにすることもできる。
【０１５１】
前述した本体２１００eとカバー２２００eを変えて滑走空間２１４０e、２１４０fをカバー２２００eの側面に、そして結合手２２５０e、２２５０fを本体２１００eに構成しても同一な機能と作動を得ることができる。
【産業上利用可能性】
【０１５２】
本発明のスライド開閉装置を採用した応用機器はガイドレール構造とこのガイドレール構造とスライディング可能に結合されるスライド構造を本体及びこの本体からスライディング開閉されるカバーの対応部位にいずれか一つずつ一体で成形して結合させることで、ガイドレール構造が適用された板材及びスライド構造が適用された板材などを別に製作しなくても良いので、部品数を減らして組み立て工数を減少させることができる。よって、本発明はスライディングメカニズムが適用された機器の構造を単純化させて組み立て性を改善することができる。進んで、製造費用を節減して製造時間を節約することができる。
以上では本発明のスライディング開閉装置が携帯電話に適用された場合を例にして説明がなされたが、これが本発明のスライディング装置が携帯電話のみに限定的に適用されることができることを意味しない。本発明のスライディング装置は二つの胴体でなされたある装置をスライディング方式で開閉する必要がある応用分野に広く適用されることができる。
【０１５３】
以上では本発明の望ましい実施例を参照して説明したが、該当技術分野の熟練された当業者は下記の特許請求の範囲に記載した本発明の思想及び領域から脱しない範囲内で本発明を多様に修正及び変更させることができる。よって、特許請求範囲の等価的な意味や範囲に属するすべての変化らは全部本発明の権利範囲内に属する。
【図面の簡単な説明】
【０１５４】
【図１】図１は、本発明の第１実施例によるスライディング開閉装置の分解斜視図である。
【図２】図１の組み立てられたスライディング開閉装置が最上位の状態から最下位の状態に位置状態が変わる過程を説明するための参照図である。
【図３】図１の組み立てられたスライディング開閉装置が最上位の状態から最下位の状態に位置状態が変わる過程を説明するための参照図である。
【図４】図１の組み立てられたスライディング開閉装置が最上位の状態から最下位の状態に位置状態が変わる過程を説明するための参照図である。
【図５】図１の組み立てられたスライディング開閉装置が最上位の状態から最下位の状態に位置状態が変わる過程を説明するための参照図である。
【図６】本発明の第２実施例によるスライディング開閉装置の組み立て状態図である。
【図７】本発明の第２実施例によるスライディング開閉装置の組み立て状態図である。
【図８】本発明の第３実施例によるスライディング開閉装置の組み立て斜視図及び分解斜視図である。
【図９】本発明の第３実施例によるスライディング開閉装置の組み立て斜視図及び分解斜視図である。
【図１０】図８のＡ-Ａ線の断面図である。
【図１１】図８の組み立てられたスライディング開閉装置が最上位の状態から最下位の状態に位置状態が変わる過程を説明するための参照図である。
【図１２】図８の組み立てられたスライディング開閉装置が最上位の状態から最下位の状態に位置状態が変わる過程を説明するための参照図である。
【図１３】図８の組み立てられたスライディング開閉装置が最上位の状態から最下位の状態に位置状態が変わる過程を説明するための参照図である。
【図１４】図８の組み立てられたスライディング開閉装置が最上位の状態から最下位の状態に位置状態が変わる過程を説明するための参照図である。
【図１５】本発明の第４実施例によるスライディング開閉装置の組み立て斜視図及び分解斜視図である。
【図１６】本発明の第４実施例によるスライディング開閉装置の組み立て斜視図及び分解斜視図である。
【図１７】図１５のＢ-Ｂ線及びＣ-Ｃ線断面図である。
【図１８】図１５のＢ-Ｂ線及びＣ-Ｃ線断面図である。
【図１９】本発明の第５実施例によるスライディング開閉装置の組み立て斜視図及び分解斜視図である。
【図２０】本発明の第５実施例によるスライディング開閉装置の組み立て斜視図及び分解斜視図である。
【図２１】図１９のＤ-Ｄ線断面図である。
【図２２】本発明の第６実施例によるスライディング装置の分解斜視図及びその組み立て断面図である。
【図２３】本発明の第６実施例によるスライディング装置の分解斜視図及びその組み立て断面図である。
【図２４】図２２の結合断面図である。
【図２５】図２２の結合断面図である。
【図２６】本発明の第７実施例によるスライディング開閉装置の結合斜視図及びそのＥ-Ｅ線断面図である。
【図２７】本発明の第７実施例によるスライディング開閉装置の結合斜視図及びそのＥ-Ｅ線断面図である。
【図２８】本発明の第８実施例によるスライディング開閉装置の結合斜視図及びそのＦ-Ｆ線断面図である。
【図２９】本発明の第８実施例によるスライディング開閉装置の結合斜視図及びそのＦ-Ｆ線断面図である。
【図３０】本発明の第９実施例によるスライディング開閉装置の構成及び具現原理を説明するための説明図である。
【図３１】本発明の第９実施例によるスライディング開閉装置の構成及び具現原理を説明するための説明図である。
【図３２】本発明の第９実施例によるスライディング開閉装置の構成及び具現原理を説明するための説明図である。
【図３３】本発明でトーションスプリングの固定腕の固定構造を詳細に示した断面図及び底面図である。
【図３４】本発明でトーションスプリングの固定腕の固定構造を詳細に示した断面図及び底面図である。
【図３５】可動型の本発明と固定型の既存装置でのトーションスプリングの運動軌跡を比べて示した図面である。
【図３６】可動型の本発明と固定型の既存装置でのトーションスプリングの運動軌跡を比べて示した図面である。
【図３７】可動型の本発明と固定型の既存装置でのトーションスプリングの運動軌跡を比べて示した図面である。
【図３８】図３０ないし図３２に例示された本発明でリンク部分の変形例を示す斜視図である。
【図３９】図３８が適用されたスライディング開閉装置の動作原理を説明するための説明図である。
【図４０】図３８が適用されたスライディング開閉装置の動作原理を説明するための説明図である。
【図４１】本発明の第１０実施例によるスライディング開閉装置を示した組み立て斜視図及びその分解斜視図である。
【図４２】本発明の第１０実施例によるスライディング開閉装置を示した組み立て斜視図及びその分解斜視図である。
【図４３】本発明の第１１実施例によるスライディング開閉装置を示した組み立て斜視図及びその分解斜視図である。
【図４４】本発明の第１１実施例によるスライディング開閉装置を示した組み立て斜視図及びその分解斜視図である。
【図４５】本発明の第１２実施例によるスライディング開閉装置を示した組み立て斜視図及びその分解斜視図である。
【図４６】本発明の第１２実施例によるスライディング開閉装置を示した組み立て斜視図及びその分解斜視図である。
【図４７】本発明の第１３実施例によるスライディング開閉装置を示した組み立て斜視図及びその分解斜視図である。
【図４８】本発明の第１３実施例によるスライディング開閉装置を示した組み立て斜視図及びその分解斜視図である。
【図４９】本発明で可変リンクの他の実施例を示した斜視図であり、
【図５０】前で例示したトーションスプリングを取り替えて使用することができるシリンダー型スプリング手段の構造を示した断面図である。
【図５１】本発明のスライディング開閉装置に採用されたスプリングの他の実施例を示した図面である。
【図５２】本発明のスライディング開閉装置に採用されたスプリングの他の実施例を示した図面である。
【図５３】本発明の第１４実施例によるスライディング開閉装置を採用した応用機器を示した分離斜視図である。
【図５４】図５３を組立てた状態での正面図及びそのＧ-Ｇ線断面図である。
【図５５】図５３を組立てた状態での正面図及びそのＧ-Ｇ線断面図である。
【図５６】ガイドバー型スライディングメカニズムが適用された本発明のまた他の実施例を示す分離斜視図である。
【図５７】図５６を組立てた状態で正面からみてスライディングメカニズムのみを概略的に示した図面である。
【図５８】図５３に例示された機器のスライディングメカニズムに作動力を倍加するためのトーションスプリングらが装着されたまた他の実施例を示す分離斜視図である。
【図５９】本発明によるスライディング開閉装置を採用した応用機器のまた他の実施例を示した正面図である。
【図６０】図５９の切断線Ｈ-Ｈ線で切った断面図である。
【図６１】本発明によるスライディング開閉装置を採用した応用機器のまた他の実施例を示した断面図である。
【図６２】図６１で案内レールと案内溝の実施例を示した部分抜純断面図である。
【図６３】図６１で案内レールと案内溝の実施例を示した部分抜純断面図である。
【図６４】本発明によるスライディング開閉装置を採用した応用機器のまた他の実施例を示した断面図である。
【図１】
2008502175.tif 000009
【図２】
2008502175.tif 000010
【図３】
2008502175.tif 000011
【図４】
2008502175.tif 000012
【図５】
2008502175.tif 000013
【図６】
2008502175.tif 000014
【図７】
2008502175.tif 000015
【図８】
2008502175.tif 000016
【図９】
2008502175.tif 000017
【図１０】
2008502175.tif 000018
【図１１】
2008502175.tif 000019
【図１２】
2008502175.tif 000020
【図１３】
2008502175.tif 000021
【図１４】
2008502175.tif 000022
【図１５】
2008502175.tif 000023
【図１６】
2008502175.tif 000024
【図１７】
2008502175.tif 000025
【図１８】
2008502175.tif 000026
【図１９】
2008502175.tif 000027
【図２０】
2008502175.tif 000028
【図２１】
2008502175.tif 000029
【図２２】
2008502175.tif 000030
【図２３】
2008502175.tif 000031
【図２４】
2008502175.tif 000032
【図２５】
2008502175.tif 000033
【図２６】
2008502175.tif 000034
【図２７】
2008502175.tif 000035
【図２８】
2008502175.tif 000036
【図２９】
2008502175.tif 000037
【図３０】
2008502175.tif 000038
【図３１】
2008502175.tif 000039
【図３２】
2008502175.tif 000040
【図３３】
2008502175.tif 000041
【図３４】
2008502175.tif 000042
【図３５】
2008502175.tif 000043
【図３６】
2008502175.tif 000044
【図３７】
2008502175.tif 000045
【図３８】
2008502175.tif 000046
【図３９】
2008502175.tif 000047
【図４０】
2008502175.tif 000048
【図４１】
2008502175.tif 000049
【図４２】
2008502175.tif 000050
【図４３】
2008502175.tif 000051
【図４４】
2008502175.tif 000052
【図４５】
2008502175.tif 000053
【図４６】
2008502175.tif 000054
【図４７】
2008502175.tif 000055
【図４８】
2008502175.tif 000056
【図４９】
2008502175.tif 000057
【図５０】
2008502175.tif 000058
【図５１】
2008502175.tif 000059
【図５２】
2008502175.tif 000060
【図５３】
2008502175.tif 000061
【図５４】
2008502175.tif 000062
【図５５】
2008502175.tif 000063
【図５６】
2008502175.tif 000064
【図５７】
2008502175.tif 000065
【図５８】
2008502175.tif 000066
【図５９】
2008502175.tif 000067
【図６０】
2008502175.tif 000068
【図６１】
2008502175.tif 000069
【図６２】
2008502175.tif 000070
【図６３】
2008502175.tif 000071
【図６４】
2008502175.tif 000072
【国際調査報告】
2008502175.tif 000073
2008502175.tif 000074